(57)【要約】無線端末（１２）は、セル特定synchronization signal block（SSB）の変更を伴わずにダウンリンクbandwidth part（BWP）が第１のＢＷＰから第２のＢＷＰに切り替えられる場合、もしRadio Link Monitoring（RLM）のための参照信号タイプがSSBタイプに設定されているなら、第２のBWPへのダウンリンクBWPの切り替え後に、第１のBWPに関連付けられた第１のSSBをRLM測定のために引き続き使用する。これは、例えば、DL active BWPの切り替え後のRLM測定のために適切なReference Signal(RS)をモニターすることを無線端末に可能する。
2019092942.tif 000002
【特許請求の範囲】
【請求項１】
無線端末であって、
メモリと、
前記メモリに結合された少なくとも１つのプロセッサと、
を備え、
前記少なくとも１つのプロセッサは、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用するよう構成される、
無線端末。
【請求項２】
前記少なくとも１つのプロセッサは、前記RLMのための前記参照信号タイプが前記SSBタイプであるか又はChannel State Information Reference Signal （CSI-RS）タイプであるかに依存して、前記ダウンリンクBWPの切り替え後に前記RLM測定のために使用される参照信号を変更するか否かを決定するよう構成される、
請求項１に記載の無線端末。
【請求項３】
前記少なくとも１つのプロセッサは、前記セル特定SSBの変更を伴わずに前記ダウンリンクBWPが前記第１のBWPから前記第２のBWPに切り替えられる場合、もし前記RLMのための前記参照信号タイプがChannel State Information Reference Signal （CSI-RS）タイプに設定されているなら、前記第１のBWP内の第１のCSI-RSに代えて前記第２のBWP内の第２のCSI-RSを前記RLM測定のために使用するよう構成される、
請求項１又は２に記載の無線端末。
【請求項４】
前記少なくとも１つのプロセッサは、前記セル特定SSBの変更を伴わずに前記ダウンリンクBWPが前記第１のBWPから前記第２のBWPに切り替えられる場合、前記RLMに関するパラメータを引き継ぐよう構成され、
前記パラメータは、同期外れが所定回数連続したことに応じてRLFを判定するためにスタートされるタイマのカウント値を含む、
請求項１〜３のいずれか１項に記載の無線端末。
【請求項５】
前記少なくとも１つのプロセッサは、前記セル特定SSBの変更を伴わずに前記ダウンリンクBWPが前記第１のBWPから前記第２のBWPに切り替えられる場合、前記第１のBWP内の第１のCSI-RSに代えて前記第２のBWP内の第２のCSI-RSをCSI測定のために使用するよう構成される、
請求項１〜４のいずれか１項に記載の無線端末。
【請求項６】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBを前記RLM測定のために使用することを中止するよう構成される、
請求項１〜５のいずれか１項に記載の無線端末。
【請求項７】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBに代えて前記第２のBWPに関連付けられた第２のSSBを前記RLM測定のために使用するよう構成される、
請求項１〜６のいずれか１項に記載の無線端末。
【請求項８】
前記少なくとも１つのプロセッサは、前記第１のBWPから前記第２のBWPへの前記ダウンリンクBWPの切り替えが前記セル特定SSBの変更を伴うか否かに依存して、前記第１のBWPに関連付けられた前記第１のSSBを前記RLM測定のために引き続き使用する否かを決定するよう構成される、
請求項１〜７のいずれか１項に記載の無線端末。
【請求項９】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記RLMに関するパラメータをリセットするよう構成され、
前記パラメータは、同期外れが所定回数連続したことに応じてRLFを判定するためにスタートされるタイマのカウント値を含む、
請求項６〜８のいずれか１項に記載の無線端末。
【請求項１０】
前記RLM測定は、前記無線端末がconnectedモードであるときに、同期外れ（out of synchronization）の検出およびRadio Link Failure （RLF）の検出を目的としてサービングセルのダウンリンク無線品質を測定することを含む、
請求項１〜７のいずれか１項に記載の無線端末。
【請求項１１】
前記CSI測定は、前記無線端末がconnectedモードであるときに、スケジューリング及びリンクアダプテーションの少なくとも一方のために使用されるChannel Quality Indicator（CQI）を含むレポートを無線アクセスネットワークノードに送信することを目的としてサービングセルのダウンリンク無線品質を測定することを含む、
請求項５に記載の無線端末。
【請求項１２】
無線端末における方法であって、
セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用すること、
を備える方法。
【請求項１３】
前記RLMのための前記参照信号タイプが前記SSBタイプであるか又はChannel State Information Reference Signal （CSI-RS）タイプであるかに依存して、前記ダウンリンクBWPの切り替え後に前記RLM測定のために使用される参照信号を変更するか否かを決定することをさらに備える、
請求項１２に記載の方法。
【請求項１４】
前記セル特定SSBの変更を伴わずに前記ダウンリンクBWPが前記第１のBWPから前記第２のBWPに切り替えられる場合、もし前記RLMのための前記参照信号タイプがChannel State Information Reference Signal （CSI-RS）タイプに設定されているなら、前記第１のBWP内の第１のCSI-RSに代えて前記第２のBWP内の第２のCSI-RSを前記RLM測定のために使用することをさらに備える、
請求項１２又は１３に記載の方法。
【請求項１５】
前記セル特定SSBの変更を伴わずに前記ダウンリンクBWPが前記第１のBWPから前記第２のBWPに切り替えられる場合、前記RLMに関するパラメータを引き継ぐことをさらに備え、
前記パラメータは、同期外れが所定回数連続したことに応じてRLFを判定するためにスタートされるタイマのカウント値を含む、
請求項１２〜１４のいずれか１項に記載の方法。
【請求項１６】
前記セル特定SSBの変更を伴わずに前記ダウンリンクBWPが前記第１のBWPから前記第２のBWPに切り替えられる場合、前記第１のBWP内の第１のCSI-RSに代えて前記第２のBWP内の第２のCSI-RSをCSI測定のために使用することをさらに備える、
請求項１２〜１５のいずれか１項に記載の方法。
【請求項１７】
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBを前記RLM測定のために使用することを中止することをさらに備える、
請求項１２〜１６のいずれか１項に記載の方法。
【請求項１８】
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBに代えて前記第２のBWPに関連付けられた第２のSSBを前記RLM測定のために使用することをさらに備える、
請求項１２〜１７のいずれか１項に記載の方法。
【請求項１９】
前記第１のBWPから前記第２のBWPへの前記ダウンリンクBWPの切り替えが前記セル特定SSBの変更を伴うか否かに依存して、前記第１のBWPに関連付けられた前記第１のSSBを前記RLM測定のために引き続き使用する否かを決定することをさらに備える、
請求項１２〜１８のいずれか１項に記載の方法。
【請求項２０】
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記RLMに関するパラメータをリセットすることをさらに備え、
前記パラメータは、同期外れが所定回数連続したことに応じてRLFを判定するためにスタートされるタイマのカウント値を含む、
請求項１７〜１９のいずれか１項に記載の方法。
【請求項２１】
前記RLM測定は、前記無線端末がconnectedモードであるときに、同期外れ（out of synchronization）の検出およびRadio Link Failure （RLF）の検出を目的としてサービングセルのダウンリンク無線品質を測定することを含む、
請求項１２〜２０のいずれか１項に記載の方法。
【請求項２２】
前記CSI測定は、前記無線端末がconnectedモードであるときに、スケジューリング及びリンクアダプテーションの少なくとも一方のために使用されるChannel Quality Indicator（CQI）を含むレポートを無線アクセスネットワークノードに送信することを目的としてサービングセルのダウンリンク無線品質を測定することを含む、
請求項１６に記載の方法。
【請求項２３】
無線端末における方法をコンピュータに行わせるためのプログラムを格納した非一時的なコンピュータ可読媒体であって、
前記方法は、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用することを備える、
非一時的なコンピュータ可読媒体。
【発明の詳細な説明】
【技術分野】
【０００１】
本開示は、無線通信システムに関し、特に１つのキャリア帯域内に設定された１又はそれ以上の帯域（bandwidth）パートを使用する無線通信システムに関する。
【背景技術】
【０００２】
3rd Generation Partnership Project（3GPP）は、2020年以降の導入に向けた第5世代移動通信システム（5G）の標準化作業を行っている。5Gは、LTE及びLTE-Advancedの継続的な改良・発展（enhancement/evolution）と新たな5Gエア・インタフェース（新たなRadio Access Technology（RAT））の導入による革新的な改良・発展の組合せで実現されると想定されている。新たなRATは、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。【０００３】
本明細書では、第5世代移動通信システムは、5G System、又はNext Generation (NextGen) System（NG System）とも呼ばれる。5G Systemのための新たなRATは、New Radio（NR）、5G RAT、又はNG RATと呼ばれる。5G Systemのための新たな無線アクセスネットワーク（Radio Access Network（RAN））は、5G-RAN又はNextGen RAN（NG RAN）と呼ばれる。5G-RAN 内の新たな基地局は、NR NodeB（NR NB）又はgNodeB（gNB）と呼ばれる。5G Systemのための新たなコアネットワークは、5G Core Network（5G-CN又は5GC）又はNextGen Core（NG Core）と呼ばれる。5G Systemに接続する無線端末（User Equipment（UE））は、5G UE、NextGen UE（NG UE）又は単にUEと呼ばれる。5G SystemのためのRAT、UE、無線アクセスネットワーク、コアネットワーク、ネットワーク・エンティティ（ノード）、及びプロトコルレイヤ等の正式な名称は、標準化作業が進む過程で将来的に決定されるであろう。【０００４】
また、本明細書で使用される“LTE”との用語は、特に断らない限り、5G Systemとのインターワーキングを可能とするためのLTE及びLTE-Advancedの改良・発展を含む。5G System とのインターワークのためのLTE及びLTE-Advancedの改良・発展は、LTE-Advanced Pro、LTE+、又はenhanced LTE（eLTE）とも呼ばれる。さらに、本明細書で使用される“Evolved Packet Core (EPC)”、“Mobility Management Entity (MME)”、“Serving Gateway (S-GW)”、及び“Packet Data Network (PDN) Gateway (P-GW)”等のLTEのネットワーク又は論理的エンティティに関する用語は、特に断らない限り、5G Systemとのインターワーキングを可能とするためのこれらの改良・発展を含む。改良されたEPC、MME、S-GW、及びP-GWは、例えば、enhanced EPC（eEPC）、enhanced MME（eMME）、enhanced S-GW（eS-GW）、及びenhanced P-GW（eP-GW）とも呼ばれる。【０００５】
LTE及びLTE-Advancedでは、Quality of Service（QoS）及びパケットルーティングのために、QoSクラス毎且つPDNコネクション毎のベアラがRAN（i.e., Evolved Universal Terrestrial RAN（E-UTRAN））及びコアネットワーク（i.e., EPC）の両方で使用される。すなわち、Bearer-based QoS（or per-bearer QoS）コンセプトでは、UEとEPC内のP-GWとの間に１又は複数のEvolved Packet System (EPS) bearersが設定され、同じQoSクラスを持つ複数のサービスデータフロー（Service Data Flows（SDFs））はこれらのQoSを満足する１つのEPS bearerを通して転送される。【０００６】
これに対して、5G Systemでは、無線ベアラがNG-RAN において使用されるかもしれないが、5GC内及び5GCとNG-RANの間のインタフェースにおいてベアラは使用されないことが検討されている。具体的には、EPS bearerの代わりにPDU flowsが定義され、１又は複数のSDFsは、１又は複数のPDU flowsにマップされる。5G UEとNG Core内のユーザプレーン終端エンティティ（i.e., EPC内のP-GWに相当するエンティティ）との間のPDU flowは、EPS Bearer-based QoSコンセプトにおけるEPSベアラに相当する。PDU flowは、5G system内でのパケットフォワーディング及び処理（treatment）の最も微細な粒度（finest granularity）に対応する。すなわち、5G Systemは、Bearer-based QoSコンセプトの代わりにFlow-based QoS（or per-flow QoS）コンセプトを採用する。Flow-based QoS コンセプトでは、QoSはPDU flow単位で取り扱われる（handled）。5G UEとデータネットワークとの間の関連付け（association）は、PDUセッション（PDU session）と呼ばれる。PDUセッションは、LTE及びLTE-AdvancedのPDNコネクション（PDN connection）に相当する用語である。複数のPDU flowsが１つのPDUセッション内に設定されることができる。3GPP仕様は、5G Systemのために、LTEのQCIに相当する5G QoS Indicator（5QI）を規定する。【０００７】
なお、PDU flow は、“QoS flow”とも呼ばれる。QoS flowは、5G system内でのQoS処理（treatment）の最も微細な粒度（finest granularity）である。PDU session内の同一のN3マーキング値を有するユーザプレーントラフィックがQoS flowに対応する。N3マーキングは、上述のPDU flow IDに対応し、QoS flow Identity（QFI）とも呼ばれ、さらにFlow Identification Indicator（FII）とも呼ばれる。ここで、少なくとも仕様に規定される各5QIとこれと同じ値（番号）を持つ対応するQFIとの間には１対１の関係がある（i.e., one-to-one mapping）。【０００８】
図１は、5G systemの基本アーキテクチャを示している。UEは、gNBとの間に１又はそれ以上のシグナリング無線ベアラ（Signalling Radio Bearers（SRBs））及び１又はそれ以上のデータ無線ベアラ（Data Radio Bearers（DRBs））を確立する。5GC及びgNBは、UEのためのコントロールプレーン・インタフェース及びユーザプレーン・インタフェースを確立する。5GCとgNB（i.e., RAN）の間のコントロールプレーン・インタフェースは、N2インタフェース、NG2インタフェース、又はNG-cインタフェースと呼ばれ、Non-Access Stratum（NAS）情報の転送、及び5GCとgNB間の制御情報（e.g., N2 AP Information Element）に使用される。5GCとgNB（i.e., RAN）の間のユーザプレーン・インタフェースは、N3インタフェース、NG3インタフェース、又はNG-uインタフェースと呼ばれ、UEのPDUセッション内の１又はそれ以上のPDU flowsのパケット（packets）の転送に使用される。【０００９】
なお、図１に示されたアーキテクチャは、複数の5Gアーキテクチャ・オプション（又は配置シナリオ（deployment scenarios））の１つに過ぎない。図１に示されたアーキテクチャは、“Standalone NR (in NextGen System)”又は“オプション２”と呼ばれるアーキテクチャである。3GPPは、さらに、E-UTRA及びNR無線アクセス技術（E-UTRA and NR radio access technologies）を使用するマルチ接続動作（multi-connectivity operation）のための幾つかのネットワーク・アーキテクチャを検討している。マルチ接続動作の代表例が、１つのマスターノード（Master node (MN)）と１つのセカンダリノード（Secondary node (SN)）が互いに連携して１つのUEと同時に通信するデュアル接続（Dual Connectivity (DC)）である。E-UTRA及びNR無線アクセス技術を使用するデュアル接続動作は、Multi-RAT Dual Connectivity (MR-DC)と呼ばれる。MR-DCは、E-UTRAノード及びNRノード（E-UTRA and NR nodes）の間のデュアル接続（connectivity）である。【００１０】
MR-DCでは、E-UTRAノード（i.e., eNB）及びNRノード（i.e., gNB）のうち一方がマスターノード（Master node (MN)）として動作し、他方がセカンダリノード（Secondary node (SN)）として動作し、少なくともMNがコアネットワークに接続される。MNは１又はそれ以上のMaster Cell Group（MCG）セルをUEに提供し、SNは１又はそれ以上のSecondary Cell Group（SCG）セルをUEに提供する。MR-DCは、“MR-DC with the EPC” 及び“MR-DC with the 5GC”を含む。【００１１】
MR-DC with the EPCは、E-UTRA-NR Dual Connectivity (EN-DC)を含む。EN-DCでは、UEはMNとして動作するeNB及びSNとして動作するgNBに接続される。さらに、eNB（i.e., Master eNB）はEPCに接続され、gNB（i.e. Secondary gNB）はX2 interfaceを介してMaster eNBに接続される。【００１２】
MR-DC with the 5GCは、NR-E-UTRA Dual Connectivity (NE-DC)及びNG-RAN E-UTRA-NR Dual Connectivity (NG-EN-DC)を含む。NE-DCでは、UEはMNとして動作するgNB及びSNとして動作するeNBに接続され、gNB（i.e., Master gNB）は5GCに接続され、eNB（i.e. Secondary eNB）はXn interfaceを介してMaster gNBに接続される。一方、NG-EN-DCでは、UEはMNとして動作するeNB及びSNとして動作するgNBに接続され、eNB（i.e., Master eNB）は5GCに接続され、gNB（i.e. Secondary gNB）はXn interfaceを介してMaster eNBに接続される。【００１３】
図２、図３、及び図４は、上述した３つのDCタイプ、すなわちEN-DC、NE-DC、及びNG-EN-DCのネットワーク構成をそれぞれ示している。なお、図２のEN-DCにおけるSecondary gNB（SgNB）はen-gNBとも呼ばれ、図３のNE-DCにおけるSecondary eNB（SeNB）および図４のNG-EN-DCにおけるMaster eNB（MeNB）は、ng-eNBとも呼ばれるが、本明細書ではgNBまたはeNBと記載する。さらに、5G Systemは、２つのgNBsの間のデュアルコネクティビティをサポートする。本明細書では、２つのgNBsの間のデュアルコネクティビティは、NR-NR DCと呼ばれる。図５は、NR-NR DCのネットワーク構成を示している。【００１４】
NRは複数の周波数バンドに異なる無線パラメタセットを使用することが想定されている。各無線パラメタセットは、“numerology”と呼ばれる。Orthogonal Frequency Division Multiplexing（OFDM）システムのためのOFDM numerologyは、例えば、サブキャリア間隔（subcarrier spacing）、システム帯域幅（system bandwidth）、送信時間間隔の長さ（Transmission Time Interval (TTI) length）、サブフレーム長（subframe duration）、サイクリックプリフィックス長さ（Cyclic prefix length）、及びシンボル期間（symbol duration）を含む。5G systemは、異なるサービス要件の様々なタイプのサービス、例えば広帯域通信（enhanced Mobile Broad Band: eMBB）、高信頼・低遅延通信（Ultra Reliable and Low Latency Communication:  URLLC）、及び多接続M2M通信（massive Machine Type Communication: mMTC）を含む、をサポートする。Numerologyの選択は、サービス要件に依存する。【００１５】
5G systemのUE及びNR gNBは、異なるnumerologiesの複数のNRキャリアのアグリゲーションをサポートする。3GPPでは、異なるnumerologiesの複数のNRキャリア（又はNRセル）のアグリゲーションが既存のLTE Carrier Aggregation（CA）のような低レイヤ・アグリゲーション（lower layer aggregation）又は既存のDual Connectivityのような高レイヤ・アグリゲーション（upper layer aggregation）によって実現されることが検討されている。【００１６】
5G NRは、LTEのそれに比べてより広いチャネル帯域（channel bandwidths）（e.g., 100s of MHz）をサポートする。１つのチャネル帯域（i.e., BWChannel）は、１つのNRキャリアをサポートするradio frequency帯域（RF bandwidth）である。チャネル帯域は、システム帯域とも呼ばれる。LTEが20 MHzまでのチャネル帯域をサポートするのに対して、5G NRは例えば500 MHzまでのチャネル帯域（channel bandwidths）をサポートする。【００１７】
複数の5Gサービス、例えばeMBBのような広帯域サービス及びInternet of Things（IoT）のような狭帯域サービスを効率的にサポートするためには、これら複数のサービスを１つのチャネル帯域上に多重できることが好ましい。さらに、もし全ての5G UEがチャネル帯域全体に対応した送信帯域（transmission bandwidth）での送信および受信をサポートしなければならないなら、これは狭帯域IoTサービスのためのUEsの低コスト及び低消費電力を妨げるかもしれない。したがって、3GPPは、各NRコンポーネントキャリアのキャリア帯域（i.e., チャネル帯域又はシステム帯域）内に１又はそれ以上のbandwidth parts（BWPs）が設定されることを許容する。１つのNRチャネル帯域内の複数のBWPsは、異なるnumerologies（e.g., subcarrier spacing（SCS））の周波数多重（frequency division multiplexing（FDM））のために使用されてもよい。なお、bandwidth partは、carrier bandwidth partとも呼ばれる。【００１８】
１つのbandwidth part（BWP）は、周波数において連続的であり（frequency-consecutive）、隣接する（contiguous）physical resource blocks（PRBs）により構成される。１つのBWPの帯域（bandwidth）は、少なくともsynchronization signal (SS)/physical broadcast channel(PBCH) block帯域と同じ大きさである。BWPは、SS/PBCH block（SSB）を包含してもしなくてもよい。BWP configurationは、例えば、numerology、 frequency location、及びbandwidth（e.g., PRBsの数）を含む。frequency locationを指定するために、共通のPRB indexingが少なくともRadio Resource Control (RRC)connected状態でのダウンリンク（DL）BWP configurationのために使用される。具体的には、UEによってアクセスされるSSBの最低（the lowest）PRBへのPRB 0からのオフセットが上位レイヤシグナリング（higher layer signaling）によって設定される。参照（reference）ポイント“PRB 0”は、同じ広帯域コンポーネントキャリアを共用する全てのUEsに共通である。【００１９】
１つのSS/PBCH blockは、NR synchronization signals（NR-SS）及びNR physical broadcast channel（NR-PBCH）のような、idleのUEのために必要な基本の信号（primary signals）を含む。NR-SSは、DL同期を得るためにUEにより使用される。Radio Resource Management (RRM) measurement（e.g., RSRP measurement）をidleのUEに可能にするために、Reference Signal（RS）がSS/PBCH blockにおいて送信される。当該RSは、NR-SSそれ自体であってもよいし、追加のRSであってもよい。NR-PBCHは、最小限のシステム情報（Minimum System Information (minimum SI)）の一部（例えば、Master Information Block (MIB)）をブロードキャストする。残りのminimum SI（remaining minimum SI（RMSI））は、Physical Downlink Shared Channel（PDSCH）で送信される。【００２０】
ネットワークは、１つの広帯域コンポーネントキャリアのチャネル帯域内において複数の（multiple）SS/PBCH blocksを送信できる。言い換えると、チャネル帯域内の複数のBWPにおいてSS/PBCH blocksが送信されてもよい。第１案では、１つの広帯域キャリア内の全てのSS/PBCH blocksは、同一の物理レイヤセル識別子（physical-layer cell identity）に対応するNR-SS（e.g., primary SS (PSS)及びsecondary SS (SSS)）に基づく。第２案では、１つの広帯域キャリア内の異なるSS/PBCH blocksは、異なる物理レイヤセル識別子（physical-layer cell identities）に対応するNR-SSに基づいてもよい。【００２１】
UEの視点（perspective）では、セルが１つのSS/PBCH blockに関連付けられる。したがって、UEのために、各サービングセルは、周波数において１つの関連付けられたSS/PBCH block （single associated SS/PBCH block）を持つ。なお、各サービングセルは、carrier aggregation (CA)及びdual connectivity (DC)でのprimary cell (PCell)、DCでのprimary secondary cell (PSCell)、又はCA及びDCでのsecondary cell (SCell)である。このようなSSBは、cell defining SS/PBCH blockと呼ばれる。Cell defining SS/PBCH blockは、関連付けられたRMSIを持つ。Cell defining SS/PBCH blockは、サービングセルの時間基準（time reference）又はタイミング基準（timing reference）の役割を果たす。また、Cell defining SS/PBCH blockは、SS/PBCH block (SSB) based RRM Measurementsのために使用される。Cell defining SS/PBCH blockは、PCell/PSCellに対して“synchronous reconfiguration” （例えば、RRC Reconfiguration procedureを用いたhandoverを伴わない無線リソース設定情報の再設定）によって、及びSCellに対して“SCell release/add”によって変更されることができる。【００２２】
各コンポーネントキャリアのための１又は複数のBWP configurationsは、準静的に（semi-statically）UEにシグナルされる。具体的には、各UE-specificサービングセルのために、１又はそれ以上のDL BWPs及び１又はそれ以上のUL BWPsがdedicated RRCメッセージによってUEのために設定されることができる。さらに、UEのために設定された１又はそれ以上のBWPsは、活性化（activated）及び非活性化（deactivated）されることができる。BWPの活性化／非活性化は、RRCレイヤではなく、下位レイヤ（e.g., Medium Access Control（MAC）レイヤ、Physical（PHY）レイヤ）によって決定される。なお、活性化されたBWPを活性化BWP（active BWP）と呼ぶ。【００２３】
活性化BWP（active BWP）の切り替えは、例えば、NR Physical Downlink Control Channel（PDCCH）で送信されるダウンリンク制御情報（Downlink Control Information（DCI））（e.g., scheduling DCI）によって行われてもよい。言い換えると、現在のactive BWPの非活性化（deactivation）と新規のactive BWPの活性化（activation）は、NR PDCCHのDCIによって行われてもよい。したがって、ネットワークは、例えばデータレートに応じて又はサービスによって要求されるnumerologyに応じて、BWPを活性化／非活性化することができ、UEのためのactive BWPをダイナミックに切り替えることができる。BWPの活性化／非活性化は、MAC Control Element（CE）によって行われてもよい。【００２４】
図６及び図７は、BWPの使用例を示している。図６に示された例では、１つのコンポーネントキャリアのチャネル帯域がBWP #1及びBWP #2に分割され、これら２つのBWPsが異なるnumerologies（e.g., 異なるsubcarrier spacing）のFDMのために使用される。図７に示された例では、１つのコンポーネントキャリアのチャネル帯域の中に狭帯域なBWP #1が配置され、BWP #1よりも狭帯域なBWP #2がさらに配置されている。BWP #1又はBWP #2がUEに対して活性化されている場合、当該UEはactive BWPの外側（しかしチャネル帯域内）で受信及び送信を行わないことにより、電力消費を低減できる。【００２５】
非特許文献１〜７は、上述されたBWP及びcell defining SS/PBCH blockについて開示している。【００２６】
さらに、3GPPは、BWPsの使用に関連したRadio Link Monitoring（RLM）の要件を検討している（非特許文献８を参照）。なお、RLM手順は、同期外れ（out of synchronization（out-of-sync））の検出およびRadio Link Failure （RLF）の検出を目的としてサービングセルのダウンリンク無線品質を測定するために、connectedモード（i.e., RRC_CONNECTED）のUEによって使用される。【００２７】
非特許文献８は、以下の事項を開示している。NRは、PCell及びPSCellのみでのRLMをサポートする。ConnectedモードのUEは、セル当たり１又は複数の（one or multiple）BWPsを準静的（semi-statically）に設定されることができる。UEは、gNBとの通信のための特定BWPを、設定された複数のBWPsの間で切り替えることができる。この切り替えは、幾つかのスケジューリング間隔（several scheduling intervals）のような短い時間スケールで行われる。この特定BWPは、すなわちactive BWPである。UEは、一度に（at a time）、１つのBWPにのみアクセスすることができる。Active BWPは、少なくともRRMのために設定されたChannel State Information Referrence Signal（CSI-RS）を持つ。UEは、CSI-RS及びSS/PBCH block（i.e., NR-SS）のうちいずれか１つのRSタイプを、RLMのためにモニターするRSとして設定される。異なるタイプのRS（すなわち、CSI-RS及びNR-SS）が同時に（simultaneously）１つのBWPに設定される場合であっても、１つのRSタイプのみがRLMのために選択され、当該選択されたRSに関するパラメータがRLMのために使用される。DL active BWPが切り替えられた（又は変更された）場合に、UEはRLMに関するon-going L3 parametersをキープすることが検討されている。この場合、DL active BWPが切り替えられても、UEは、RLMに関するL3 parametersをデフォルト値にリセットしない。
【先行技術文献】
【非特許文献】
【００２８】
【非特許文献１】3GPP R1-1711795, Ericsson, “On bandwidth parts and “RF” requirements”, TSG RAN1 NR Ad-Hoc#2, Qingdao, P.R. China, June 2017
【非特許文献２】3GPP R2-1707624, “LS on Bandwidth Part Operation in NR”, 3GPP TSG RAN WG2#99, Berlin, Germany, August 2017
【非特許文献３】3GPP R2-1710012, “LS on Further agreements for Bandwidth part operation”, 3GPP TSG RAN WG2 #99bis, Prague, Czech Republic, October 2017
【非特許文献４】3GPP R2-1710031, “Reply LS on multiple SSBs within a wideband carrier”, 3GPP TSG RAN WG2 #99bis, Prague, Czech Republic, October 2017
【非特許文献５】3GPP R2-1711640, ZTE Corporation, Sane Chips, “Initial discussion on the impacts of BWP on RAN2”, 3GPP TSG-RAN WG2 Meeting #99bis, Prague, Czech Republic, October 2017
【非特許文献６】3GPP R2-1711969, Ericsson, “Text Proposal for L1 parametrs for 38.331”, 3GPP TSG-RAN WG2 #99bis, Prague, Czech Republic, October 2017
【非特許文献７】3GPP R2-1709861, “LS on multiple SSBs within a wideband carrier”, 3GPP TSG RAN WG2#99, Berlin, Germany, August 2017
【非特許文献８】3GPP R2-1711404, Samsung, “RLM/RLF for bandwidth part”, 3GPP TSG RAN WG2 #99bis, Prague, Czech Republic, October 2017
【発明の概要】
【発明が解決しようとする課題】
【００２９】
上述したように、非特許文献８は、異なるタイプのRS（すなわち、CSI-RS及びSS/PBCH block）が同時に（simultaneously）１つのBWPに設定される場合であっても、１つのRSのみがRLMのために選択され、選択されたRSに関連するパラメータがRLMのために使用されることを開示している。非特許文献８は、さらに、DL active BWPが切り替えられても、UEは、一例として、RLMに関するL3 parametersをデフォルト値にリセットしないことを開示している。しかしながら、DL active BWPが切り替えられる場合に、切り替え後のRLM測定のためにUEがどのRSをモニターするべきであるかが明確でないという課題がある。本明細書に開示される実施形態が達成しようとする目的の１つは、当該課題の解決に寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００３０】
第１の態様では、無線端末は、メモリ及び前記メモリに結合された少なくとも１つのプロセッサを含む。前記少なくとも１つのプロセッサは、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用するよう構成される。【００３１】
第２の態様では、無線端末における方法は、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用すること、を含む。【００３２】
第３の態様では、プログラムは、コンピュータに読み込まれた場合に、上述の第２の態様に係る方法をコンピュータに行わせるための命令群（ソフトウェアコード）を含む。
【発明の効果】
【００３３】
上述の態様によれば、DL active BWPの切り替え後のRLM測定のためにUEが適切なRSをモニターできるようにすることに寄与する装置、方法、及びプログラムを提供できる。
【図面の簡単な説明】
【００３４】
【図１】5G Systemの基本アーキテクチャを示す図である。
【図２】EN-DCのネットワーク構成を示す図である。
【図３】NE-DCのネットワーク構成を示す図である。
【図４】NG-EN-DCのネットワーク構成を示す図である。
【図５】NR-NR DCのネットワーク構成を示す図である。
【図６】Bandwidth part（BWP）の使用例を示す図である。
【図７】Bandwidth part（BWP）の使用例を示す図である。
【図８】BWP及びSS/PBCH blockの設定例を示す図である。
【図９】BWP及びSS/PBCH blockの設定例を示す図である。
【図１０】幾つかの実施形態に係る無線通信ネットワークの構成例を示す図である。
【図１１】第１の実施形態に係る無線端末の動作の一例を示すフローチャートである。
【図１２】第１の実施形態に係る無線端末の動作の一例を示すフローチャートである。
【図１３】第１の実施形態に係るRANノード及び無線端末の動作の一例を示すシーケンス図である。
【図１４】第２の実施形態に係る無線端末の動作の一例を示すフローチャートである。
【図１５】第２の実施形態に係る無線端末の動作の一例を示すフローチャートである。
【図１６】第２の実施形態に係るRANノード及び無線端末の動作の一例を示すシーケンス図である。
【図１７】第３の実施形態に係るRANノード及び無線端末の動作の一例を示すシーケンス図である。
【図１８】幾つかの実施形態に係るRANノードの構成例を示すブロック図である。
【図１９】幾つかの実施形態に係る無線端末の構成例を示すブロック図である。
【発明を実施するための形態】
【００３５】
以下では、具体的な実施形態について、図面を参照しながら詳細に説明する。各図面において、同一又は対応する要素には同一の符号が付されており、説明の明確化のため、必要に応じて重複説明は省略される。
【００３６】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３７】
以下に示される複数の実施形態は、3GPP 5G systemを主な対象として説明される。しかしながら、これらの実施形態は、他の無線通信システムに適用されてもよい。
【００３８】
初めに、図８及び図９を参照して、１つのシステム帯域内が複数のBWPsを含むケースに関する用語の定義を説明する。図８及び図９は、BWP及びSS/PBCH blockの設定例を示している。図８及び図９に示された例では、１つのチャネル帯域内が３つのBWPs、すなわちBWP #1、BWP #2、及びBWP #3を含む。BWP #1及びBWP #2はSS/PBCH block（SSB）#1及びSSB #2をそれぞれ包含し、一方BWP #3はSS/PBCH blockを包含しない。
【００３９】
ネットワークの観点（perspective）では、既存のLTEと同様に、１つのコンポーネントキャリアの全体帯域(i.e., チャネル帯域又はシステム帯域)が１つのセルに相当する。図８及び図９の例では、チャネル帯域に対応するセルに関連付けられたPhysical Cell Identity(PCI）は“PCIx”である。
【００４０】
本明細書では、ネットワーク観点（perspective）でのセルを“論理セル（logcal cell）”と定義する。さらに、ネットワーク観点セル（i.e., 論理セル）に関連付けられたPCIを基準PCIと定義する。なお、ネットワーク観点セル（i.e., 論理セル）は、１つのCell Identityに関連付けられてもよい。この場合、ネットワーク視点セル（i.e., 論理セル）のCell Identityが、後述する複数の物理セルの（サブ）PCIsと関連付けられてもよい。
【００４１】
一方、既に説明したように、UE観点（perspective）では、セルが１つのSS/PBCH blockに関連付けられる。本明細書では、UE観点でのセルを“物理セル（physical cell）”と定義する。さらに、UE観点セル（i.e., 物理セル）に関連付けられたPCIをサブPCIと定義する。すなわち、１つのシステム帯域内に含まれており且つ各々がSS/PBCH blockを含む複数のBWPsは、複数のUE観点セル（i.e., 複数の物理セル）である。これら複数のUE観点セル（物理セル）のサブPCIsは、ネットワーク観点セル（i.e., 論理セル）の１つの基準PCI又は１つのCell Identityに関連付けられる。さらに、SS/PBCH blockを含まないBWPは、UE観点セル（物理セル）として定義されてもよいし、SS/PBCH blockを含まないBWPとこれが参照するSS/PBCH blockを含むBWPのグループがUE観点セル（物理セル）として定義されてもよい。なお、ネットワーク観点でも、ネットワーク（e.g., RANノード）がUEとの通信に実際に使用する単位システム帯域は、それぞれのUE観点セル（物理セル）である。
【００４２】
図８の例では、３つのBWPsが同一のnumerology（i.e., numerology #1）をサポートし、１つのチャネル帯域内の全てのSS/PBCH blocks（i.e., SSB #1及びSSB #2）が同一の（サブ）PCI（i.e., PCIx）に対応するNR-SSに基づく。すなわち、図８は、チャネル帯域内での複数の（multiple）SS/PBCH blocksの送信に関して上述された第１案に対応する。SSBを包含しないBWP #3にUEが同期するために、他のBWPsで送信されるSSB #1又はSSB #2が参照される。このとき、参照されるSSB #1又はSSB #2を参照SSB（reference SSB）と呼び、UEは参照SSBの識別子（SSB index, e.g., SSB #1 or #2）をネットワークから通知されてもよい。
【００４３】
図９の例では、BWP #1がnumerology #1をサポートし、BWP #2及びBWP #3がnumerology #2をサポートする。異なるnumerologiesのための異なるSSBs #1及び#2は、異なる（サブ）PCIs（i.e., PCIx及びPCIy）に対応するNR-SSに基づく。すなわち、図９は、チャネル帯域内での複数の（multiple）SS/PBCH blocksの送信に関して上述された第２案に対応する。SSBを包含しないBWP #3にUEが同期するために、例えば、BWP #3と同じnumerologyをサポートするBWP #2のSSB #2が参照される。これに代えて、SSBを包含しないBWP #3にUEが同期するために、UEは、BWP #3のnumerologyとは異なるnumerologyをサポートするBWP #1のSSB #1を参照してもよい。
【００４４】
図８の例では、１つのネットワーク観点セル（i.e., 論理セル）の基準PCI（i.e., PCIx）又はCell Identityに、２つのUE観点セル（物理セル）のサブPCIs（i.e., PCIx及びPCIx）が関連付けられる。図９の例では、１つのネットワーク観点セル（i.e., 論理セル）の基準PCI（i.e., PCIx）又はCell Identityに、２つのUE観点セル（物理セル）のサブPCIs（i.e., PCIx及びPCIy）が関連付けられる。
【００４５】
ネットワーク（e.g., RANノード）は、１つ又はそれ以上のBWPsを含むBWPセットをUEに設定してもよい。言い換えると、UEは、１つ又はそれ以上のBWPsの設定情報（e.g., SSB indexes, presence of SSBs, reference SSB indexes, Layer-1 parameters）をネットワークから受信する。BWPセットは、ダウンリンク（DL）及びアップリンク（UL）に個別に設定されてもよい。つまり、BWPセットは、DL及びULに個別のDL BWPセット及び UL BWPセットを含んでもよい。これに代えて、UL BWPsとDL BWPsとが予め関連付けられてもよく、この場合のBWPセットは、DL及びULに共通であってもよい。UEは（DL/UL） BWPセットに含まれるK個のBWPsのうち、k個（k <= K）のBWPを活性化（activate）することができる。言い換えると、あるUEに対して、K個までの（DL/UL）BWP(s)が一度に活性化されることができる。以降の説明では、簡略化のために、１つのBWP（i.e. k=1）が活性化（activate）されることを想定する。しかし、本実施形態及び後続の実施形態は、２つ以上（k>=2）のBWPsが一度に活性化される場合にも適宜適用できる。
【００４６】
さらに、本明細書は、用語“BWPグループ”を導入する。BWPグループは、BWPセットに包含される。BWPグループは、NR PDCCHで送信されるDCIによってactive BWPを変更されることができる１又はそれ以上のBWPsから構成される。BWPグループに含まれる１又はそれ以上のBWPsの間では、Cell defining SSBの変更を伴わずにactive BWPが変更されることができる。従って、BWPグループは、１つのcell defining SSBに関連付けられた１又はそれ以上のBWPsであると定義されてもよい。１つのBWPグループは、cell defining SSBを包含する１つのBWP（e.g.,基準BWP、イニシャルBWP、デフォルトBWP）と他の１又はそれ以上のBWPsを含んでもよい。基準BWP（又はイニシャルBWP、デフォルトBWP）ではない他の１又はそれ以上のBWPsの各々は、SSBを含んでもよいし、含まなくてもよい。UEはどのSSBがcell defining SSBであるかを明示的に指定・設定されてもよいし、UEが当該BWPグループを設定された時の最初のBWPのSSBをcell defining SSBであると暗黙的（implicitly）に考えてもよい。
【００４７】
BWPグループは、ダウンリンク（DL）及びアップリンク（UL）に個別に設定されてもよい。つまり、BWPグループは、DL及びULに個別のDL BWPグループ及び UL BWPグループを含んでもよい。これに代えて、UL BWPsとDL BWPsとが予め関連付けられてもよく、この場合のBWPグループは、DL及びULに共通であってもよい。
【００４８】
図８の例において、BWP #1から#3が１つのBWPセットとしてUEに設定される。図８の例では、UEは、BWP #3に同期するために（つまりBWP #3において同期確立するために）、BWP #1で送信されるSSB #1を参照してもよい。この場合、BWP #1及びBWP #3が１つのBWPグループに対応し、BWP #2が別の１つのBWPグループに対応してもよい。つまり、１つのBWPセット（BWPs #1, #2, and #3）は、第１のBWPグループ（BWPs #1 and #3）及び第２のBWPグループ（BWP #2）を含んでもよい。これに代えて、１つのBWPセット（BWPs #1, #2, and #3）は、第１のBWPグループ（BWP #1）及び第２のBWPグループ（BWPs #2 and #3）を含んでもよい。さらにこれに代えて、１つのBWPセット（BWPs #1, #2, and #3）は、１つのBWPグループ（BWPs #1, #2, and #3）に対応してもよい。この場合、SSB #1及びSSB #2のうち１つがUEのためのcell defining SSBとされる。
【００４９】
図９の例でも、BWP #1から#3が１つのBWPセットとしてUEに設定される。一例では、numerology #1のBWP #1が１つのBWPグループに対応し、numerology #2のBWP #2及びBWP #3が別の１つのBWPグループに対応してもよい。つまり、１つのBWPセット（BWPs #1, #2, and #3）は、第１のBWPグループ（BWPs #1）及び第２のBWPグループ（BWP #2 and #3）を含んでもよい。なお、既に説明したとおり、異なるnumerologiesのBWPsが１つのBWPグループに含まれてもよい。したがって、他の例では、１つのBWPセット（BWPs #1, #2, and #3）は、第１のBWPグループ（BWPs #1 and #3）及び第２のBWPグループ（BWP #2）を含んでもよい。さらにこれに代えて、１つのBWPセット（BWPs #1, #2, and #3）は、１つのBWPグループ（BWPs #1, #2, and #3）に対応してもよい。この場合、SSB #1及びSSB #2のうち１つがUEのためのcell defining SSBとされる。
【００５０】
既に説明したように、BWPの活性化／非活性化は、RRCレイヤではなく、下位レイヤ（e.g., Medium Access Control（MAC）レイヤ、Physical（PHY）レイヤ）によって行われてもよい。DL BWPの活性化／非活性化のためにタイマ（e.g. MACレイヤのBWP Inactivity Timer）が使用されてもよい。UEは、gNBにより送信される設定値に基づくタイマに従ってactive BWPを切り替えてもよい。当該タイマが示す期間（periodまたはduration）は、subframe単位で示されてもよい。例えば、UEがactive BWPにおいて、所定期間（つまりタイマの満了値）データの送信または受信を行わなかった場合、所定のBWP（e.g., default BWP, cell defininig SSBを含むBWP）のactive BWPを変更するようにしてもよい。同様のタイマに基づくactive BWP変更の判断を、ネットワーク（e.g., RANノード）も行ってもよい。
【００５１】
＜第１の実施形態＞
図１０は、本実施形態を含む幾つかの実施形態に係る無線通信ネットワークの構成例を示している。図１０の例では、無線通信ネットワークは、RANノード１１及び無線端末（UE）１２を含む。RANノード１１は、例えば、gNB、又はMR-DCでのeNBである。RANノード１１は、cloud RAN（C-RAN）配置（deployment）におけるCentral Unit（CU）（e.g., gNB-CU）であってもよく、Distributed Unit（DU）（e.g., gNB-DU）であってもよい。Central Unit（CU）は、Baseband Unit（BBU）又はdigital unit（DU）とも呼ばれる。Distributed Unit（DU）は、Radio Unit（RU）、Remote Radio Head（RRH）、Remote Radio Equipment（RRE）、又はTransmission and Reception Point（TRP又はTRxP）とも呼ばれる。
【００５２】
UE１２は、エアインタフェース１００１を介して、RANノード１１に接続される。なお、UE１２は、デュアルコネクティビティのために複数のRANノードに同時に接続されてもよい。Connected modのUE１２は、セル当たり１又は複数の（one or multiple）BWPsを準静的（semi-statically）に設定されることができる。UE１２は、RANノード１１（e.g., MgNB）又は他のRANノード（e.g., SgNB）との通信のためのactive BWPを、設定された複数のBWPsの間で切り替えることができる。この切り替えは、例えば、幾つかのスケジューリング間隔（several scheduling intervals）のような短い時間スケールで行われる。
【００５３】
UE１２は、connectedモード（e.g., NR RRC_CONNECTED）であるときに、RLM手順を実行する。RLM手順では、UE１２は、RLM測定を行う。言い換えると、UE１２は、同期外れ（out of synchronization（out-of-sync）の検出およびRadio Link Failure （RLF）の検出を目的としてサービングセルのダウンリンク無線品質を測定する。なお、UE１２は、デュアルコネクティビティのために複数のRANノードに同時に接続されてもよい。この場合、UE１２は、PCellでのRLM及びPSCellでのRLMを同時に行なってもよい。
【００５４】
無線品質は、例えばRSRP、RSRQ、RSSI、若しくはSINR、又はこれらの任意の組合せであってもよい。さらに、5G NRは、無線信号（データ、制御情報、シグナリング、およびRS）がビームフォーミングされるビーム基準（beam based）システムを採用する。そのため、セル無線品質の測定では、UE１２は、まず対象セル（i.e., BWP）で送信されるRSのビーム（e.g., beamformed RS, pre-coded RS）に対する測定（i.e., beam measurement）を行い、RSのビームに対する測定結果（beam level measurement results）を得る。当該RSのビームに対する測定結果は、ビームの無線品質とも呼ばれる。そして、UE１２は、RSのビームに対する測定結果を基に、セルの無線品質を導出する（derive cell measurement results）。以降では、RLMのための測定（RLM測定）、RRMのための測定（RRM測定）、または単に測定と表現した場合、これらの表現は、RANノードから指定されたRSタイプ又はRANノードから受信したRSの設定情報に基づく、セルの無線品質（セル品質）およびビームの無線品質（ビーム品質）の少なくともいずれかを測定すること又は導出することを意味する。なお、セル品質に関するRLMに対応するビーム品質に対する測定をビームモニタリング（beam monitoring: BM）又はビームリンクモニタリング（beam link monitoring: BLM）と呼ぶ。同様に、セル品質に関するRLFに対応するビーム品質に基づく無線リンクの品質劣化をbeam failureとも呼ぶ。
【００５５】
Active BWPでは、少なくともRRMのために設定されたCSI-RSが送信される。Active BWPは、SS/PBCH block（SSB）を包含してもよし、しなくてもよい。つまり、RANノード１１は、NR-SSおよびPBCHをactive BWPにおいて送信してもよいし、しなくてもよい。UE１２は、CSI-RS及びSSB（i.e., NR-SS）のうちいずれか１つのRSタイプがRLMのために測定されるRSとしてRANノード１１から指定される。異なるタイプのRS（すなわち、CSI-RS及びSSB）が同時に（simultaneously）１つのBWPで送信される場合であっても、１つのRSタイプのみがRLMのために選択され、当該選択されたRSタイプに関する測定設定（測定パラメータ）がRLMのために使用される。選択されたRSタイプに関する測定設定は、例えば、3GPP規格書TS 36.213及びTS 36.133に規定されている閾値"Qin"及び"Qout"相当のパラメータを含んでもよい。この場合、異なるRSタイプのために異なる閾値"Qin"及び"Qout"相当のパラメータが設定されてもよい。
【００５６】
RANノード１１は、UE１２にRLM設定を供給する。RLM設定は、RLMのための測定設定（測定パラメータ）を含む。RLMのための測定設定（測定パラメータ）は、例えば、out-of-syncの所定数（e.g. N310 for PCell, N313 for PSCell）、in-syncの所定数（e.g. N311 for PCell, N314 for PSCell）、及びRLFタイマ（e.g. T310 for PCell, T313 for PSCell）の満了期間（最大時間）を含む。Out-of-syncの所定数は、UEが無線リンク自己リカバリ（self-recovery）プロセスを開始する前に下位レイヤ（lower layers）から受信される連続する（consecutive）“out-of-sync”表示（indications）の数である。In-syncの所定数は、無線リンクが回復した（has recovered）とUEが判断する前に下位レイヤ（lower layers）から受信される連続する“in sync”表示（indications）の数である。RLFタイマは、RLFを判定する（又は検出する）ために使用される。UE（e.g., RRCレイヤ）は、所定数の連続out-of-sync（OOS）表示を下位レイヤから受信した場合、RLFタイマをスタートし、もし所定数の連続in-sync（IS）表示を受信したらRLFタイマを停止する。RLFタイマの満了期間（最大時間）は、UEによって動的に行われる無線リンクのリカバリに許容される最大時間に相当する。RLFタイマの満了に応答して、UEはRLFを検出する。
【００５７】
RLM手順において、UE１２はradio frame毎にradio link qualityを評価（assess）してもよい。この場合、UE１２はradio link qualityを評価（assess）するradio frame毎にRLMのために使用されるRSのタイプ（e.g. CSI-RSまたはSS/PBCH block）を選択してもよい。また、UE１２は、radio link quality の評価及びRLMのために使用されるRSタイプを、radio frame毎の代わりにsubframe毎、slot毎、OFDM symbol毎、またはTTI毎に選択してもよい。
【００５８】
Cell defining SSBの変更を伴わずにDL active BWPが第１のBWPから第２のBWPに変更されるとき、UE１２は、RLM測定に関して以下のように振る舞う。もしUE１２が受信した第１のBWPのRLMのためのRSタイプがSSBタイプ（i.e. NR-SS）に設定（set）されているなら、UE１２は、第２のBWPへのDL BWPの切り替え後も、第１のBWPに関連付けられた第１のSSBをRLM測定のために引き続きモニターする。言い換えると、仮に第２のBWPがSSBを含む場合であっても、UE１２がSSB-based RLM測定を指示されているとき、UE１２は、第２のBWP内のSSBをRLMのための測定に使用しない。このとき、UE１２は、第２のBWP内のSSBに対する測定をしなくてもよいし、RRMのためにこれを測定してもよい。なお、ここでの、及びこれ以降の、「変更される時」の表現が示すタイミングは、radio frameレベルのタイミングであってもよいし、subframe、slot、OFDM symbolレベルのタイミングであってもよい。
【００５９】
第１のSSBは、第１のBWPに関連付けられたcell defining SSBであってもよい。第１のSSBは、第１のBWPに含まれてもよいし、他のBWPに含まれてもよい。
【００６０】
UE１２は、第１のSSBをRLM測定のために引き続き使用するために、active BWP切り替え前のRLMのための測定設定（e.g., Measurement Object）を引き継いで使用してもよい。さらに、UE１２は、active BWP切り替え前のRLM関連パラメータの値（又は状態（status））も引き継いで使用してもよい。言い換えると、UE１２は、active BWP切り替え前のRLMのための測定設定及びパラメータ（状態）に基づいて、RLMのための第１のSSBの測定を継続してもよい。さらに言い換えると、UE１２は、active BWP切り替え前のRLMのための測定設定及びパラメータ（状態）がactive BWP切り替え後に使用されるとみなしてもよい（考えてもよい）。
【００６１】
RLM関連パラメータは、例えば、連続out-of-sync表示のカウント値、連続in-sync表示のカウント値、及びRLFタイマの値を含む。RLM関連パラメータは、in-sync閾値およびout-of-sync閾値を含んでもよい。UE１２は、無線リンクモニタリング（RLM）のために、推定されたDL無線リンク品質をin-sync閾値およびout-of-sync閾値と比較する。in-sync閾値およびout-of-sync閾値の各々は、例えば、RSRP閾値であり、サービングセルからのa hypothetical PDCCH transmissionのBlock Error Rate（BLER）の観点（in terms of）で表される。具体的には、例えば、out-of-sync閾値は、out-of-syncのたためのtransmission parameters及びPhysical Control Format Indicator Channel (PCFICH)のエラーを考慮したa hypothetical PDCCH transmissionの10% BLERに対応するレベルとして定義される。一方、in-sync閾値は、例えば、in-syncのためのtransmission parameters及びPhysical Control Format Indicator Channel (PCFICH)のエラーを考慮したa hypothetical PDCCH transmissionの2% BLERに対応するレベルとして定義される。
【００６２】
上述したとおり、RLMのための測定設定は、例えば、out-of-syncの所定数、in-syncの所定数、及びRLFタイマの満了期間（最大時間）を含んでもよい。さらに、RLMのための測定設定は、out-of-syncのためのPDCCH/PCFICH transmission parameters、およびin-syncのためのPDCCH/PCFICH transmission parametersを含んでもよい。PDCCH/PCFICH transmission parametersは、例えば、DCIフォーマット、control OFDM symbolsの数、Aggregationレベル、平均RS Resource Element (RE) energyに対するPDCCH RE energyの割合（Ratio）、及び平均RS Resource Element (RE) energyに対するPCFICH RE energyの割合（Ratio）を含んでもよい。なお、RS RE energy、PDCCH RE energy及びPCFICH RE energyはそれぞれ、RE当たりのRS、PDCCH、PCFICHのenergyを示す。これらのPDCCH/PCFICH transmission parametersが、BWP毎に、SSB毎に、またはCSI-RS毎に設定されてもよい。さらにまたはこれに代えて、これらのPDCCH/PCFICH transmission parametersがradio frame毎、subframe毎、slot毎、OFDM symbol毎、またはTTI毎に設定・使用されてもよい。
【００６３】
図１１は、UE１２によって行われるRLMに関する動作の一例（処理１１００）を示すフローチャートである。ステップ１１０１では、UE１２は、Cell defining SSBの変更を伴わずにDL active BWPを第１のBWPから第２のBWPに切り替える指示をRANノード１１から受信する。当該指示は、例えば、第２のBWPの活性化を示し、第１のBWPの非活性化をさらに示してもよい。既に説明したように、BWPの活性化／非活性化は、例えば、NR PDCCHで送信されるDCI（e.g., scheduling DCI）によって行われる。
【００６４】
ステップ１１０２では、UE１２は、どのRSタイプがDL active BWP切り替え前の第１のBWPのRLMのために使用されているかを判定する。もし、UE１２がSSB based RLM 測定を設定されているなら、UE１２は、第２のBWPへのDL active BWPの切り替え後も、第１のBWPに関連付けられた第１のSSBでのRLM測定を継続する。言い換えると、もしUE１２が受信した第１のBWPのRLMのためのRSタイプがSSBタイプ（i.e. NR-SS）に設定されているなら、UE１２は、第１のBWPに関連付けられた第１のSSBに対する測定をRLMのために引き続き実行する。さらに、UE１２は、当該測定及び測定結果を、RRMのための隣接セル（又は隣接BWP）の測定及び測定結果として使用してもよい。
【００６５】
以上の説明から理解されるように、UE１２は、もしUE１２が第１のBWPのためにSSB based RLM測定を設定されているなら、Cell defining SSBの変更を伴わずにDL active BWPが第１のBWPから第２のBWPに変更されるときに以下のように動作する。言い換えると、UE１２は、もしUE１２が受信した第１のBWPのためのRLM測定のRSタイプがSSB（i.e. NR-SS）に設定されているなら、NR PDCCH/DCI によってDL active BWPが第１のBWPから第２のBWPに切り替えられる際に以下のように動作する。すなわち、UE１２は、第２のBWPへのDL BWPの切り替え後も、第１のBWPに関連付けられた第１のSSBに対する測定をRLMのために引き続き実行する。第１のSSBは、第１のBWPに関連付けられたcell defining SSBであってもよい。第１のSSBは、第１のBWPに含まれてもよいし、他のBWPに含まれてもよい。これにより、UE１２は、DL active BWP切り替え後も、DL active BWP切り替え前と同じ第１のSSBに基づくRLMを継続できる。
【００６６】
Cell defining SSBの変更を伴わないDL active BWP切り替えの前後でRLM測定に使用されるRS（e.g., 第１のSSB）を変更しないため、UE１２は、セルの無線品質を継続的に測定することができる。例えば、UE１２は、active BWPがBWPグループ内でダイナミックに切り替えられる場合でも、安定的にセルの無線品質を測定することができ、無線品質の劣化や改善を適切に把握（検出）することができる。従って、当該制御方法は、active BWPが比較的短い時間間隔（interval）で切り替えられる運用のために特に有効である。
【００６７】
一方で、もしUE１２がCSI-RS based RLM測定を設定されているなら、UE１２は、Cell defining SSBの変更を伴わずにDL active BWPが第１のBWPから第２のBWPに変更されるときに以下のように動作してもよい。言い換えると、もしUE１２が受信したRLMのためのRSタイプがCSI-RSに設定されているなら、UE１２は、NR PDCCH/DCI によってDL active BWPが第１のBWPから第２のBWPに切り替えられる際に以下のように動作してもよい。すなわち、UE１２は、第１のBWP内の第１のCSI-RSに代えて第２のBWP内の第２のCSI-RSに対してRLM測定を実行してもよい。UE１２はRLMに使用されるCSI-RSを変更するが、active BWP切り替え前のRLM関連パラメータの値（又は状態（status））を引き継いで使用してもよい。RLM関連パラメータは、上述のように、連続out-of-sync表示のカウント値、連続in-sync表示のカウント値、及びRLFタイマの値を含んでもよい。RLM関連パラメータは、in-sync閾値およびout-of-sync閾値を含んでもよい。さらに、UE１２は、RLMに使用されるCSI-RSを変更するが、active BWP切り替え前のRLMのための測定設定の少なくとも一部を引き継いで使用してもよい。RLMのための測定設定は、上述のように、out-of-syncの所定数、in-syncの所定数、及びRLFタイマの満了期間（最大時間）を含んでもよい。さらに、RLMのための測定設定は、PDCCH/PCFICH transmission parametersを含んでもよい。
【００６８】
図１２は、UE１２によって行われるRLMに関する動作の他の例（処理１２００）を示すフローチャートである。ステップ１２０１での処理は、ステップ１１０１での処理と同様である。ステップ１２０２では、UE１２は、どのRSタイプがDL active BWP切り替え前の第１のBWPのRLMのために使用されているかを判定する。もし、UE１２がCSI-RS based RLM 測定を設定されているなら、UE１２は、第２のBWPへのDL active BWPの切り替え後に、第１のBWP内の第1のCSI-RSに代えて第２のBWP内の第２のCSI-RSをRLM測定のために使用する。つまり、UE１２は、第２のCSI-RSに対してRLM測定を実行する。
【００６９】
DL active BWP切り替えが行われる際に、RLMのために使用されるRS（e.g., CSI-RS）を切り替え後のDL active BWPで送信されるRSに変更することで、UE１２は、滞在セル（active BWP）の無線品質に基づくRLMを実行することができる。例えば、UE１２は、active BWPがBWPグループ内で準静的（semi-static）に切り替えられる場合、実際に使用されているセルの無線品質を適切に測定することができ、無線品質の劣化や改善を適切に把握（検出）することができる。従って、当該制御方法は、active BWPが比較的長い時間間隔（interval）で切り替えられる運用のために特に有効である。
【００７０】
以上の説明から理解されるように、幾つかの実装において、UE１２は、Cell defining SSBの変更を伴わずにDL active BWPが第１のBWPから第２のBWPに変更されるときに以下のように動作してもよい。すなわち、UE１２は、第１のBWPのためにSSB based RLM測定が設定されているか又はCSI-RS based RLM測定が設定されているかに依存して、DL active BWP 切り替え後にRLMのためにモニターされる参照信号（RS）を変更するか否かを決定する。言い換えると、UE１２は、RLMのためのRSタイプがSSBタイプであるかCSI-RSタイプであるかに依存して、DL active BWP切り替え後にRLM測定のために使用されるRSを変更するか否かを決定する。これにより、UE１２は、NR PDCCHでDL active BWPをBWPグループ内で切り替える指示（DCI）を受信した場合、RRCメッセージ（e.g., RRC Reconfiguration）を受信することなく、適切にRLM測定のために使用されるRSを変更することができる。言い換えると、RANノード１１は、RRCメッセージを送信せずに、NR PDCCHの送信だけで、RLM測定のために使用されるRSをUE１２において選択させることができる。つまり、無線信号（RRCシグナリング）量の削減、及びUE１２におけるRRCレイヤの設定の変更における遅延の低減が期待される。
【００７１】
図１３は、本実施形態に係るRANノード１１及びUE１２の動作の一例（処理１３００）を示すシーケンス図である。UE RRCレイヤ１２１及びUE MACレイヤ１２２は、UE１２のコントロールプレーン・プロトコルスタックに含まれる。UE RRCレイヤ１２１は、UE NASレイヤ（不図示）の下位レイヤであり、無線リソース制御（RRC）を提供し、UE１２のRRC状態（e.g., NR RRC_IDLEおよびNR RRC_CONNECTED）を管理する。RRC状態は、例えば、UE１２とRANノード１１との間の無線接続（RRCコネクション）が確立されているか否かを表す。
【００７２】
UE RRCレイヤ１２１は、各コンポーネントキャリアのための１又は複数のBWP configurationsをRANノード１１から受信する。RANノード１１は、例えば、RRC Reconfigurationメッセージを用いて、各コンポーネントキャリアのための１又は複数のBWP関連制御情報（BWP configurations）をUE RRCレイヤ１２１に送信する。各コンポーネントキャリアのための１又は複数のBWP configurationsは、例えば、以下のうち少なくとも１つの情報要素（IE）を包含してもよい：
・１又はそれ以上のダウンリンクBWPsに関連付けられた１又はそれ以上のBWPインデックスを示す情報要素；
・１又はそれ以上のアップリンクBWPsに関連付けられた１又はそれ以上のBWPインデックスを示す情報要素；
・各BWPに関連付けられたキャリア周波数（e.g., Absolute Radio Frequency Channel Number（ARFCN））を示す情報要素；
・各BWPがSS/PBCH block（SSB）を包含するか否かを示す情報要素；
・SSBを包含しないBWPに関連付けられた参照SSB又は当該参照SSBを包含する参照BWPを示す情報要素；
・各BWPで送信されるSSBの構成を示す情報要素（e.g., SS系列又はPCI、SSB duration、numerology）
・基準PRB（e.g., PRB0）から各SSBのlowest PRBへのオフセットを示す情報要素； 
・各BWPに設定されたnumerologyを示す情報要素；及び
・BWPセット又はBWPグループの構成を示す情報要素（e.g., 各BWPグループのインデックスと、それに含まれるBWPインデックスのリストの情報）。
【００７３】
さらに、UE RRCレイヤ１２１は、各サービングセルのRLMのための測定設定（measurement configuration: MeasConfig）をRANノード１１から受信する。RANノード１１は、例えば、RRC Reconfigurationメッセージを用いて、各サービングセルのRLMのための測定設定をUE RRCレイヤ１２１に送信する。測定設定は、RLMのための測定設定（e.g., RSタイプ）を含む。
【００７４】
さらに、各サービングセルのRLMのための測定設定は、上述されたRLMのための測定設定を含んでもよい。１又は複数のRLMのための測定設定（測定パラメータセット）が、対応する１又は複数のBWP configurationsに含まれてもよい。これに代えて、各サービングセルのRLMのための測定設定は、NR PDCCHで送信されるDCI、またはMAC CEに含まれてもよい。
【００７５】
UE MACレイヤ１２２は、UE１２に設定された１又はそれ以上のBWPsの活性化／非活性化を決定する。上述したように、BWPグループ内のBWPの切り替えは、例えば、NR PDCCHで送信されるDCIによって行われる。さらに、このとき、切り替え前のactive BWPの非活性化、及び切り替え後のactive BWPの活性化は、当該DCIによって行われてもよい。
【００７６】
ステップ１３０１では、RANノード１１は、DL active BWP切り替えのためのDCIをNR PDCCHにおいてUE１２に送信する。当該DCIは、DL active BWPの切り替えをUE１２にトリガーする。ステップ１３０２では、UE MACレイヤ１２２は、RANノード１１からの当該DCIを受信したことに応答して、DL active BWPを切り替える。ステップ１３０３では、UE MACレイヤ１２２は、UE RRCレイヤ１２１に、DL active BWPの切り替えを通知する。ステップ１３０３の通知は、ステップ１３０２の前に行われてもよい。
【００７７】
ステップ１３０４では、UE RRCレイヤ１２１は、DL active BWPの切り替えを示す通知を下位レイヤ（MACレイヤ１２２）から受信したことに応答して、切り替え前のDL active BWPに適用されていたRSタイプを判定する。言い換えると、UE RRCレイヤ１２１は、RLMのために使用されるRSタイプがSSBタイプであるか又はCSI-RSタイプであるかを判定する。
【００７８】
ステップ１３０５では、UE RRCレイヤ１２１は、切り替え前のDL active BWPに適用されていたRLMのためのRSタイプがSSBタイプであるかCSI-RSタイプであるかに依存してRLM測定を修正する。具体的には、切り替え前のDL active BWPに適用されていたRLMのためのRSタイプがSSBタイプであるなら、UE RRCレイヤ１２１は、DL active BWP切り替え後のRLM測定のために使用される参照信号（i.e., SSB）を変更しない。つまり、UE RRCレイヤ１２１は、引き続き同じSSBに基づくRLMを実行する。一方、切り替え前のDL active BWPに適用されていたRLMのためのRSタイプがCSI-RSタイプであるなら、UE RRCレイヤ１２１は、切り替え後のDL active BWP内に含まれるCSI-RSに基づくRLMを実行する。
【００７９】
なお、本実施形態では、UE１２は、RLM測定に加えて、CSI測定を行なってもよい。CSI測定は、UE１２がconnectedモード（e.g., NR RRC_CONNECTED）であるときに、スケジューリング及びリンクアダプテーションの少なくとも一方のために使用されるChannel Quality Indicator（CQI）を含むレポートをRANノード１１に送信することを目的としてサービングセルのDL無線品質を測定することを含む。UE１２は、cell defining SSBの変更を伴わずにDL active BWPが第１のBWPから第２のBWPに切り替えられる場合、第１のBWP内の第１のCSI-RSに代えて第２のBWP内の第２のCSI-RSをCSI測定のためにモニターしてもよい。
【００８０】
また、上述の説明では、UE MACレイヤ１２２がDL active BWP切り替えのためのDCIをNR PDCCHで受信したことに応答して、UE RRCレイヤ１２１にDL active BWPの切り替えを通知する例を示した。しかしながら、UE MACレイヤ１２２の代わりに、当該DCIを受信したUE PHYレイヤが直接UE RRCレイヤ１２１（及びUE MACレイヤ１２２）に当該通知を送ってもよい。
【００８１】
＜第２の実施形態＞
本実施形態では、cell defining SSBの変更を伴ってDL active BWPが切り替えられる際のUEのRLM測定の例を提供する。本実施形態に係る無線通信ネットワークの構成例は、図１０に示された例と同様である。
【００８２】
本実施形態では、Cell defining SSBの変更を伴ってDL active BWPが第１のBWPから第２のBWPに変更されるとき、UE１２は、RLM測定に関して以下のように振る舞う。もし第１のBWPのRLMのためのRSタイプがSSBタイプに設定（set）されているなら、UE１２は、第１のBWPに関連付けられた第１のSSBをRLM測定のために使用することを中止（又は中断）する。つまり、UE１２は第１のSSBに基づくRLMを中止（又は中断）する。さらに又はこれに代えて、もし第１のBWPのRLMのためのRSタイプがSSBタイプに設定されているなら、UE１２は、第１のBWPに関連付けられた第１のSSBに代えて第２のBWPに関連付けられた第２のSSBをRLM測定のために使用してもよい。
【００８３】
また、第１のBWPに関連付けられた第１のSSBをRLM測定のために使用することを中止（又は中断）する場合に、UE１２は、DL active BWP切り替え前のRLM関連パラメータの値（又は状態）をデフォルト値（e.g., ゼロ）又は設定値（e.g., 満了値）にリセットしてもよい。RLM関連パラメータは、連続out-of-sync表示のカウント値、連続in-sync表示のカウント値、及びRLFタイマの値を含んでもよい。
【００８４】
本実施形態のように、RLMのためにSSBが使用されている場合、１つの論理セル内のcell defining SSBが互いに異なる複数の物理セル（BWPs）間でDL無線品質が大きく異なる可能性がある。例えば、cell defining SSBが互いに異なる複数の物理セル（BWPs）が１つの論理セル内で使用される場合は、１つの論理セルの帯域が大きく（e.g. , 400 MHz）ために物理セル（BWPs）間で周波数特性が大きく異なる可能性がある。あるいは、複数の物理セル（BWPs）に異なるnumerology（e.g., Subcarrier spacing）が適用されることにより、無線の伝搬特性が物理セル（BWPs）間で大きく異なる可能性がある。言い換えると、DL active BWPの切り替え前後の２つのcell defininig SSBsのUE１２での受信品質が大きく異なる可能性がある。このため、もしUE１２がcell defininig SSBの変更を伴うDL active BWPの切り替え前後でRLMに使用されるSSBを変更しないと、DL active BWP切り替え後のRLMが最適でなくなることが予想される。したがって、UE１２が上述のように動作することによって、DL active BWP切り替え後のRLMを最適化できる。
【００８５】
これに代えて、RLM測定のためにSSBをモニターすることを中止（又は中断）する場合に、UE１２は、DL active BWP切り替え前のRLM関連パラメータの値（又は状態）を、これらをリセットすることなく、維持（保持）してもよい。そして、UE１２は、切り替え後の第２のBWPに関連付けられた第２のSSBでのRLM測定を、維持（保持）されていたRLM関連パラメータの値を用いてスタートしてもよい。これは、cell defining SSBが変更されても、切り替え前後のDL active BWPsの周波数特性や伝搬特性が同じ又は類似している場合に有効である。そこで、RANノード１１は、cell defining SSBの変更を伴うDL active BWPの切り替えにおいて、RLM関連パラメータの値がリセットされるか否か（あるいはRLM関連パラメータの値（又は状態）が維持されるか否か）を示す情報をUE１２に送信してもよい。当該情報は、DL active BWPの切り替えの指示と共にRANノード１１からUE１２へ送信されてもよい。
【００８６】
図１４は、UE１２によって行われるRLMに関する動作の一例（処理１４００）を示すフローチャートである。ステップ１４０１では、UE１２は、Cell defining SSBの変更を伴ってDL active BWPを第１のBWPから第２のBWPに切り替える指示をRANノード１１から受信する。当該指示は、例えば、第２のBWPの活性化を示し、第１のBWPの非活性化をさらに示してもよい。Cell defining SSBが変更されるため、当該指示は、RRCシグナリング（e.g., RRC Reconfigurationメッセージ）でRANノード１１からUE１２に送られてもよい。
【００８７】
ステップ１４０２では、もしUE１２がSSB based RLM 測定を設定されているなら、UE１２は、第１のBWPに関連付けられた第１のSSBに基づくRLMを中止する。ステップ１４０３では、UE１２は、DL active BWP切り替え前のRLM関連パラメータの値（又は状態）をデフォルト値（e.g., ゼロ）又は設定値（e.g., 満了値）にリセットする。ステップ１４０３は、行われなくてもよい。
【００８８】
図１５は、UE１２によって行われるRLMに関する動作の他の例（処理１５００）を示すフローチャートである。ステップ１５０１〜１５０３で行われる処理は、ステップ１４０１〜１４０３で行われる処理と同様である。
【００８９】
ステップ１５０４では、もしUE１２がSSB based RLM 測定を設定されているなら、UE１２は、第１のBWPに関連付けられた第１のSSBに代えて第２のBWPに関連付けられた第２のSSBに基づくRLMを開始する。
【００９０】
一方で、もしRLMのためのRSタイプがCSI-RSタイプに設定されているなら、UE１２は、Cell defining SSBの変更を伴うか否かにかかわらず、DL active BWPが第１のBWPから第２のBWPに変更されるときに以下のように動作してもよい。すなわち、UE１２は、第１のBWP内の第１のCSI-RSに代えて第２のBWP内の第２のCSI-RSをRLM測定のために使用してもよい。UE１２はRLMのために使用されるCSI-RSを変更するが、active BWP切り替え前のRLM関連パラメータの値（又は状態（status））を引き継いで使用してもよい。RLM関連パラメータは、上述のように、連続out-of-sync表示のカウント値、連続in-sync表示のカウント値、及びRLFタイマの値を含んでもよい。RLM関連パラメータは、in-sync閾値およびout-of-sync閾値を含んでもよい。
【００９１】
図１６は、本実施形態に係るRANノード１１及びUE１２の動作の一例（処理１６００）を示すシーケンス図である。UE RRCレイヤ１２１及びUE MACレイヤ１２２は、UE１２のコントロールプレーン・プロトコルスタックに含まれる。
【００９２】
ステップ１６０１では、RANノード１１は、BWP再設定のためのRRC ReconfigurationメッセージをUE１２（UE RRCレイヤ１２１）に送信する。当該BWP再設定は、cell defining SSBの変更とDL active BWPの切り替えをUE１２にトリガーする。
【００９３】
ステップ１６０２では、UE RRCレイヤ１２１は、DL active BWPの切り替えをUE MACレイヤ１２２に指示する。ステップ１６０３では、UE MACレイヤ１２２は、UE RRCレイヤ１２１からの指示に従って、DL active BWPを切り替える。このとき、UE RRCレイヤ１２１又はUE MACレイヤ１２２は、UE PHYレイヤ（図示なし）へDL active BWPを切り替える指示を行い、UE PHYレイヤは当該指示に従って無線処理部（e.g., RF）を切り替え後のDL active BWPに対応するよう調節してもよい。
【００９４】
ステップ１６０４では、cell defining SSBの変更及びDL active BWPの切り替えに依存して、RLM測定を修正する。具体的には、切り替え前のDL active BWPに適用されていたRLMのためのRSタイプがSSBタイプ（i.e., NR-SS）であるなら、UE RRCレイヤ１２１は、切り替え前のDL active BWPに関連付けられたSSBに代えて切り替え後のBWPに関連付けられたSSBをRLM測定のために使用する。一方、切り替え前のDL active BWPに適用されていたRLMのためのRSタイプがCSI-RSタイプであるなら、UE RRCレイヤ１２１は、切り替え後のDL active BWP内に含まれるCSI-RSをRLM測定のために使用する。
【００９５】
なお、本実施形態のUE１２は、第１の実施形態で説明された、cell defining SSBの変更を伴わずにDL active BWPが切り替えられる際のUEのRLMに関する動作をさらに行ってもよい。言い換えると、UE１２は、第１のBWPから第２のBWPへの(DL) active BWPの切り替えがcell defining SSBの変更を伴うか否かに依存して、第１のBWPに関連付けられた第１のSSBをRLM測定のために引き続き使用するか否かを決定してもよい。これにより、UE１２は、滞在する物理セル（サービング・セル）に相当する(DL) BWPにおける無線品質だけでなく、cell defining SSBを含む（当該SSBが送信されている）(DL) BWPにおける無線品質を適宜把握することができる。なお、上述したように、Cell defining SSBを含むDL BWPは、論理セル内に含まれる１又はそれ以上の物理セルのうちの１つを代表するDL BWPである。したがって、UE１２がCell defining SSBを含む(DL) BWPの無線品質を把握することで、UE１２が当該物理セルに滞在することが適切か否かを適切に判定することに寄与できる。さらに、Cell defining SSBを含む(DL) BWPは、他にCell defining SSBを含む(DL) BWPが同じ論理セル内に無い（設定されていない）場合、同じ論理セル内に含まれる全てのBWPを代表する (DL) BWPとも考えられる。したがって、UE１２がCell defining SSBを含む(DL) BWPの無線品質を把握することで、UE１２が当該論理セルに滞在することが適切か否かを適切に判定することに寄与できる。
【００９６】
さらに、本実施形態でも、UE１２は、RLM測定に加えて、CSI測定を行なってもよい。UE１２は、cell defining SSBの変更を伴ってDL active BWPが第１のBWPから第２のBWPに切り替えられる場合、第１のBWP内の第１のCSI-RSに代えて第２のBWP内の第２のCSI-RSをCSI測定のためにモニターしてもよい。
【００９７】
＜第３の実施形態＞
本実施形態は、１つのBWPグループに含まれる複数のBWP間でのactive BWPの切り替えに対処するための測定設定の方法を提供する。本実施形態に係る無線通信ネットワークの構成例は、図１０に示された例と同様である。本実施形態で説明される測定設定の方法は、上述の第１及び第２の実施形態におけるRLM測定、RRM測定、及びCSI測定の設定のために使用されることができる。
【００９８】
本実施形態では、RANノード１１は、１つのDL BWPグループに含まれる複数のDL BWPの間での（cell defining SSBの変更を伴わない）active BWPの切り替えに対処するために、サービングセル（サービングBWP、active BWP）と隣接セル（非サービングBWP、隣接BWP）の関係を交換（swap）することが可能な測定設定を予めUE１２にRRCシグナリング（e.g., RRC Reconfigurationメッセージ）で供給する。UE１２は、UE１２とRANの間の通信のためのactive BWPがBWPグループ内のBWPs間で切り替えられることに応じて、予め受信していた測定設定をサービングセル（サービングBWP、active BWP）と隣接セル（非サービングBWP、隣接BWP）の関係を交換して使用する。
【００９９】
例えば、１つのBWPグループが第１及び第２のBWPsを含む場合、RANノード１１は、第１のBWPがサービングセル（サービングBWP）であり第２のBWPが隣接セル（隣接BWP、非サービングBWP）である状況に対応する測定設定を、RRCシグナリング（e.g., RRC Reconfigurationメッセージ）でUE１２に供給する。UE１２は、active BWPが第１のBWPであるときに当該測定設定に従って測定（e.g., RLM測定、RRM測定、CSI測定）を実行する。さらに、UE１２は、active BWPが第１のBWPから第２のBWPに切り替えられることに応じて、既に受信している測定設定のサービングセル（サービングBWP）と隣接セル（隣接BWP、非サービングBWP）との関係を交換して使用する。
【０１００】
本実施形態のRANノード１１及びUE１２は、BWPグループ内でのactive BWPの切り替えの際に、測定設定の更新のためのRRCシグナリングを必要としない。したがって、本実施形態のRANノード１１及びUE１２は、BWPグループ内でのactive BWPの切り替えに応答して測定設定を速やかに更新することができ、切り替え後のactive BWPに対応した測定設定に従った測定動作を速やかに開始できる。
【０１０１】
図１７は、本実施形態に係るRANノード１１及びUE１２の動作の一例（処理１７００）を示すシーケンス図である。ここでは、BWPグループがSSBを含むBWP #1とSSBを含まないBWP #2から構成されること、及びUE１２がまずBWP #1にキャンプする（つまり、BWP #1がactive BWPである）ことを前提とする。
【０１０２】
ステップ１７０１では、RANノード１１は、RRC ReconfigurationメッセージをUE１２に送信する。当該RRC Reconfigurationメッセージは、BWP #1がサービングセル（サービングBWP）でありBWP #2が隣接セル（隣接BWP）である状況に対応する測定設定を含む。
【０１０３】
UE１２は、ステップ１７０１で受信した測定設定を使用し、BWP #1での測定（e.g., RLM測定、CSI測定、RRM測定）、及びBWP #2を含む隣接セルでの測定（e.g., RRM測定）を実行する（ステップ１７０２）。
【０１０４】
ステップ１７０３では、RANノード１１は、BWP #1からBWP #2へのactive BWPの切り替えを示す制御情報、すなわちNR PDCCH上でのDCI、をUE１２に送信する。UE１２は、当該制御情報（PDCCH/DCI）の受信に応答して、active BWPをBWP #2へ切り替える。さらに、active BWPの切り替えに合わせて、UE１２は、予め受信していた（つまり保持している）測定設定をサービングセル（サービングBWP、active BWP）と隣接セル（非サービングBWP、隣接BWP）の関係を交換して使用する（ステップ１７０４）。言い換えると、UE１２は、既に保持している測定設定におけるサービングセル（サービングBWP）がBWP #2であるとみなして、当該測定設定の少なくとも一部に従い測定を行う。または、UE１２は、BWP #2がサービングセル（サービングBWP）であり、BWP #1が隣接セル（隣接BWP）であるとみなして、既に保持している測定設定の少なくとも一部に従い測定を行うと言い換えてもよい。
【０１０５】
ステップ１７０４の測定は、SSB-based測定およびCSI-RS based測定を含んでもよい。もしUE１２がSSB-based測定を設定されているなら、UE１２は、BWP #1内のSSBをRLM測定のためにモニターしてもよい。この場合、UE１２は、BWP #1からBWP #2へのactive BWP切り替え後のSSB-based測定のために、BWP #1に対応する測定設定のうちSSB-based測定に関する設定を引き継いでもよい。言い換えると、UE１２は、BWP #1からBWP #2へのactive BWP切り替え後のCSI-RS based測定のために、予め受信していた（つまり既に保持している）測定設定におけるサービングセル（サービングBWP）がBWP #2であるとみなしてもよい。または、UE１２は、BWP #2がサービングセル（サービングBWP）であり、BWP #1が隣接セル（隣接BWP）であるとみなして、既に保持している測定設定の少なくとも一部に従い測定を行うと言い換えてもよい。
【０１０６】
さらに又はこれに代えて、BWP #1及びBWP #2に特有の測定設定を除いて、キャリア周波数（measObject）に対する測定設定は、active BWP切り替え前後で共通の測定であってもよい。
【０１０７】
さらに又はこれに代えて、RANノード１１は、予め測定設定で“s-measure”の設定をUEへ送信してもよい。なお、s-measureはRSRP閾値であり、隣接セルの測定開始を判定するために使用される。UE１２は、サービングセルのRSRPがs-measureを下回ると、隣接セルの測定を開始する。さらに、UE１２はs-measureの対象をSSB（i.e. ssb-rsrp）とCSI-RS（i.e. csi-rsrp）から選択できてもよく、この場合、RANノード１１がUE１２に対してs-measureがSSB-based及びCSI-RS basedのどちらであるかを指定してもよい。UE１２は、BWP #1からBWP #2へのactive BWP切り替え後のs-measureの判定を、切り替え後のサービングBWP（i.e., BWP #2）に対する測定値（e.g., SSB-based RSRP or CSI-RS based RSRP）を用いて行なってもよい。これに代えて、UE１２は、s-measureの判定を、切り替え前のサービングBWP（i.e., BWP #1）に対する測定値を用いて行なってもよい。
【０１０８】
RANノード１１は、active BWP切り替え後のs-measureの扱い（つまり、切り替え前active BWPに対する測定値と切り替え後active BWPに対する測定値のどちらがactive BWP切り替え後のs-measureの判定に使用されるか）を予めUE１２に通知してもよい。RANノード１１は、測定設定またはBWPセットの設定情報において、active BWP切り替え後のs-measureの扱いを指定してもよい。これに代えて、UE１２は、active BWP切り替え前のs-measureの対象とされるRSタイプ（e.g., SSB又はCSI-RS）の設定に従って、active BWP切り替え後のs-measureの対象とされるRSタイプを決定してもよい。例えば、active BWPの切り替え前のs-measureの対象とされるRSタイプがSSBである場合、UE１２は、active BWP切り替え後のs-measureの判定にSSBに対する測定値を使用してもよい。このとき、UE１２は、切り替え後のactive BWPがSSBを含んでいないなら切り替え前のactive BWP内のSSBに対して測定を実行してもよいし、切り替え後のactive BWPがSSBを含むなら切り替え後のactive BWP内のSSBに対して測定を実行してもよい。
【０１０９】
例えば、測定設定のs-measureがSSB内のRS（e.g., NR-SS）のRSRP閾値を定める場合、RANノード１１は、BWPグループ内でのactive BWP切り替え後に使用されるs-measureをステップ１７０１において予めUE１２に通知してもよい。例えば、BWPグループ内でのactive BWP切り替え後の新たなactive BWP（e.g., active BWP #2）がSSBを含まないなら、RANノード１１は、active BWP切り替え後のs-measure のためにCSI-RSのRSRP閾値を予め設定してもよい。これに代えて、測定設定のs-measureがCSI-RSのRSRP閾値を定める場合（かつBWP #2におけるCSI-RSの設定がRANノード１１からUE１２へ送信されている場合）、UE１２は、BWP #1からBWP #2へのactive BWP切り替え後に、切り替え前のs-measureの設定を引き続き使用してもよい。
【０１１０】
続いて以下では、上述の複数の実施形態に係るRANノード１１及びUE１２の構成例について説明する。図１８は、上述の実施形態に係るRANノード１１の構成例を示すブロック図である。図１８を参照すると、RANノード１１は、Radio Frequencyトランシーバ１８０１、ネットワークインターフェース１８０３、プロセッサ１８０４、及びメモリ１８０５を含む。RFトランシーバ１８０１は、UE１２を含むNG UEsと通信するためにアナログRF信号処理を行う。RFトランシーバ１８０１は、複数のトランシーバを含んでもよい。RFトランシーバ１８０１は、アンテナアレイ１８０２及びプロセッサ１８０４と結合される。RFトランシーバ１８０１は、変調シンボルデータをプロセッサ１８０４から受信し、送信RF信号を生成し、送信RF信号をアンテナアレイ１８０２に供給する。また、RFトランシーバ１８０１は、アンテナアレイ１８０２によって受信された受信RF信号に基づいてベースバンド受信信号を生成し、これをプロセッサ１８０４に供給する。RFトランシーバ１８０１は、ビームフォーミングのためのアナログビームフォーマ回路を含んでもよい。アナログビームフォーマ回路は、例えば複数の移相器及び複数の電力増幅器を含む。
【０１１１】
ネットワークインターフェース１８０３は、ネットワークノード（e.g., NG Coreの制御ノード及び転送ノード）と通信するために使用される。ネットワークインターフェース１８０３は、例えば、IEEE 802.3 seriesに準拠したネットワークインターフェースカード（NIC）を含んでもよい。
【０１１２】
プロセッサ１８０４は、無線通信のためのデジタルベースバンド信号処理（データプレーン処理）とコントロールプレーン処理を行う。プロセッサ１８０４は、複数のプロセッサを含んでもよい。例えば、プロセッサ１８０４は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。プロセッサ１８０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【０１１３】
メモリ１８０５は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１８０５は、プロセッサ１８０４から離れて配置されたストレージを含んでもよい。この場合、プロセッサ１８０４は、ネットワークインターフェース１８０３又は図示されていないI/Oインタフェースを介してメモリ１８０５にアクセスしてもよい。
【０１１４】
メモリ１８０５は、上述の複数の実施形態で説明されたRANノード１１による処理を行うための命令群およびデータを含む１又はそれ以上のソフトウェアモジュール（コンピュータプログラム）１８０６を格納してもよい。いくつかの実装において、プロセッサ１８０４は、当該ソフトウェアモジュール１８０６をメモリ１８０５から読み出して実行することで、上述の実施形態で説明されたRANノード１１の処理を行うよう構成されてもよい。
【０１１５】
なお、RANノード１１がgNB-CUである場合、RANノード１１は、RFトランシーバ１８０１（及びアンテナアレイ１８０２）を含まなくてもよい。
【０１１６】
図１９は、UE１２の構成例を示すブロック図である。Radio Frequency（RF）トランシーバ１９０１は、RANノード１１と通信するためにアナログRF信号処理を行う。RFトランシーバ１９０１は、複数のトランシーバを含んでもよい。RFトランシーバ１９０１により行われるアナログRF信号処理は、周波数アップコンバージョン、周波数ダウンコンバージョン、及び増幅を含む。RFトランシーバ１９０１は、アンテナアレイ１９０２及びベースバンドプロセッサ１９０３と結合される。RFトランシーバ１９０１は、変調シンボルデータ（又はOFDMシンボルデータ）をベースバンドプロセッサ１９０３から受信し、送信RF信号を生成し、送信RF信号をアンテナアレイ１９０２に供給する。また、RFトランシーバ１９０１は、アンテナアレイ１９０２によって受信された受信ＲＦ信号に基づいてベースバンド受信信号を生成し、これをベースバンドプロセッサ１９０３に供給する。RFトランシーバ１９０１は、ビームフォーミングのためのアナログビームフォーマ回路を含んでもよい。アナログビームフォーマ回路は、例えば複数の移相器及び複数の電力増幅器を含む。
【０１１７】
ベースバンドプロセッサ１９０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【０１１８】
例えば、ベースバンドプロセッサ１９０３によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、ベースバンドプロセッサ１９０３によるコントロールプレーン処理は、Non-Access Stratum（NAS）プロトコル、RRCプロトコル、及びMAC CEの処理を含んでもよい。
【０１１９】
ベースバンドプロセッサ１９０３は、ビームフォーミングのためのMIMOエンコーディング及びプリコーディングを行ってもよい。
【０１２０】
ベースバンドプロセッサ１９０３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ１９０４と共通化されてもよい。
【０１２１】
アプリケーションプロセッサ１９０４は、CPU、MPU、マイクロプロセッサ、又はプロセッサコアとも呼ばれる。アプリケーションプロセッサ１９０４は、複数のプロセッサ（複数のプロセッサコア）を含んでもよい。アプリケーションプロセッサ１９０４は、メモリ１９０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１２の各種機能を実現する。
【０１２２】
幾つかの実装において、図１９に破線（１９０５）で示されているように、ベースバンドプロセッサ１９０３及びアプリケーションプロセッサ１９０４は、１つのチップ上に集積されてもよい。言い換えると、ベースバンドプロセッサ１９０３及びアプリケーションプロセッサ１９０４は、１つのSystem on Chip（SoC）デバイス１９０５として実装されてもよい。SoCデバイスは、システムLarge Scale Integration（LSI）またはチップセットと呼ばれることもある。
【０１２３】
メモリ１９０６は、揮発性メモリ若しくは不揮発性メモリ又はこれらの組合せである。メモリ１９０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ１９０６は、ベースバンドプロセッサ１９０３、アプリケーションプロセッサ１９０４、及びSoC１９０５からアクセス可能な外部メモリデバイスを含んでもよい。メモリ１９０６は、ベースバンドプロセッサ１９０３内、アプリケーションプロセッサ１９０４内、又はSoC１９０５内に集積された内蔵メモリデバイスを含んでもよい。さらに、メモリ１９０６は、Universal Integrated Circuit Card（UICC）内のメモリを含んでもよい。
【０１２４】
メモリ１９０６は、上述の複数の実施形態で説明されたUE１２による処理を行うための命令群およびデータを含む１又はそれ以上のソフトウェアモジュール（コンピュータプログラム）１９０７を格納してもよい。幾つかの実装において、ベースバンドプロセッサ１９０３又はアプリケーションプロセッサ１９０４は、当該ソフトウェアモジュール１９０７をメモリ１９０６から読み出して実行することで、上述の実施形態で図面を用いて説明されたUE１２の処理を行うよう構成されてもよい。
【０１２５】
なお、上述の実施形態で説明されたUE１２によって行われるコントロールプレーン処理及び動作は、RFトランシーバ１９０１及びアンテナアレイ１９０２を除く他の要素、すなわちベースバンドプロセッサ１９０３及びアプリケーションプロセッサ１９０４の少なくとも一方とソフトウェアモジュール１９０７を格納したメモリ１９０６とによって実現されることができる。
【０１２６】
図１７及び図１８を用いて説明したように、上述の実施形態に係るRANノード１１及びUE１２が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２７】
＜その他の実施形態＞
上述の実施形態は、各々独立に実施されてもよいし、実施形態全体又はその一部が適宜組み合わせて実施されてもよい。
【０１２８】
上述の実施形態では、NR PDCCHで送信されるDCIによるactive BWPの切り替えについて説明した。しかし、上述の実施形態におけるactive BWPの切り替えが、MAC CEまたはタイマ（e.g., BWP Inactivity Timer）によって行われてもよい。
【０１２９】
上述の実施形態では、主に各UEに１つのBWPが活性化される（i.e. 1 active BWP per UE）という想定で説明した。しかし、上述の実施形態で説明された方法が、各UEのために複数のBWPが活性化される場合へも適用できることは言うまでもない。例えば、BWPセット内に複数のactive BWPsがあってもよい。さらに、BWPセット内に設定された複数のBWPグループの各々に対応するそれぞれ１つのactive BWPがあってもよいし、BWPグループ内で複数のactive BWPがあってもよい。
【０１３０】
5G UEは、セル品質に加えてビーム品質を測定し、これらをRANノード（e.g., gNB）に報告するよう構成されることができる。上述の実施形態では、UE１２は、RLMとビームモニタリングを組合せて実行してもよい。UE１２は、ある活性化されたBWPでbeam failureを検出した後に当該BWPでビームリカバリが出来なかった（beam recovery failure）場合に、以下のように動作してもよい。すなわち、UE１２のレイヤ１は、もし当該BWPと同一（物理）セルに包含される他のBWP（e.g., BWPグループ内の他のBWP）のbeamが正しく検出されたなら、当該他のBWPにおけるビームリカバリ成功（beam recovery successful）をUE１２のレイヤ２及び３に通知する。UE１２のレイヤ３は、既にRLMにおいて無線品質の劣化を検出していたが、RLF detection前の状態である場合、L1からの当該通知を基にRLFタイマやカウンタをストップさせ、通常のRLM動作に戻ってもよい。
【０１３１】
上述した実施形態は、MR-DC（e.g., EN-DC）及びNR-NR DCにも適用されることができる。例えば、SCGにおけるactive BWP が(NR) PDCCHで送信されるDCIにより切り替えられてもよい。この場合、SCGを運用するRANノード（i.e., SN）が、当該(NR) PDCCHをSCGのDL active BWPにおいて送信し、UE１２が当該PDCCH（つまりDCI）の受信に応答して、上述の実施形態のいずれかに従いDL active BWPを切り替えてもよい。一方、SCGにおけるactive BWPがcell defining SSBの変更を伴って切り替えられる場合、MCGを運用するRANノード（i.e., MN）がSCGにおけるcell defining SSBの変更を伴うactive BWP切り替えの指示を、MCGのセル（又はDL active BWP）で送信してもよい。UE１２は、当該指示の受信に応答して、SCGにおいて上述の実施形態のいずれかに従いactive BWPを切り替えてもよい。例えば、NR-NR DCにおいて、SgNBが、SN Modification procedureにおけるSN MODIFICATION REQUEST ACKNOWLEDGEメッセージで、active BWP切り替え指示を含む制御情報をMaster gNB（MgNB）へ送信してもよい。そして、MgNBがRRC Reconfigurationメッセージで当該制御情報をUE１２へ送信してもよい。あるいは、(NG-)EN-DCにおいて、SgNBが、SN Modification procedureにおけるSN MODIFICATION REQUEST ACKNOWLEDGEメッセージで、当該制御情報をMaster eNB（MeNB）へ送信してもよい。そして、MeNBがRRC Connection Reconfigurationメッセージで当該制御情報をUE１２へ送信してもよい。これに代えて、SgNBがSCGにおけるシグナリング・ベアラ（e.g., SRB3）で直接UE１２に当該制御情報を送信してもよい。
【０１３２】
上述の実施形態において、cell defining SSBの用語を用いたが、これはUE観点のセル（物理セル）に相当するBWP、または当該物理セルのセットに相当するBWPグループを代表するSSBを指すため、cell representative SSBと呼ばれてもよい。または、cell defining SSBは、当該SSBを含む代表するセル（物理セル）を特定するという観点から、セル特定SSBと呼ばれてもよい。さらに、cell defining SSBは、UEがそれを含むBWPまたはBWPグループのいずれかに滞在するときにモニターすべきSSBであるため、serving SSBと呼ばれてもよい。
【０１３３】
上述の実施形態で説明されたサブPCIは、BWP indexと関連づけられていてもよい。
【０１３４】
上述の実施形態で説明された基準BWPは、default BWP 、initial BWP、reference BWP、primary BWP、anchor BWP、又はmaster BWPと呼ばれてもよい。すなわち、UEがRANノードに最初にアクセスするとき（i.e., Idle modeからConnected modeに遷移するとき）に最初に滞在するBWPは、基準BWP 、default BWP、initial BWP、reference BWP、primary BWP、anchor BWP、又はmaster BWPと呼ばれてもよい。さらに又はこれに代えて、システム帯域に含まれる複数のBWPsのうち、基準BWPではないBWPは、サブBWP、secondary BWP、slave BWPと呼ばれてもよい。
【０１３５】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１３６】
上記の実施形態の一部又は全部は、以下の付記のようにも記載されうるが、以下には限られない。
【０１３７】
（付記１）
無線端末であって、
メモリと、
前記メモリに結合された少なくとも１つのプロセッサと、
を備え、
前記少なくとも１つのプロセッサは、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用するよう構成される、
無線端末。
【０１３８】
（付記２）
前記少なくとも１つのプロセッサは、前記RLMのための前記参照信号タイプが前記SSBタイプであるか又はChannel State Information Reference Signal （CSI-RS）タイプであるかに依存して、前記ダウンリンクBWPの切り替え後に前記RLM測定のために使用される参照信号を変更するか否かを決定するよう構成される、
付記１に記載の無線端末。
【０１３９】
（付記３）
前記少なくとも１つのプロセッサは、前記セル特定SSBの変更を伴わずに前記ダウンリンクBWPが前記第１のBWPから前記第２のBWPに切り替えられる場合、もし前記RLMのための前記参照信号タイプがChannel State Information Reference Signal （CSI-RS）タイプに設定されているなら、前記第１のBWP内の第１のCSI-RSに代えて前記第２のBWP内の第２のCSI-RSを前記RLM測定のために使用するよう構成される、
付記１又は２に記載の無線端末。
【０１４０】
（付記４）
前記少なくとも１つのプロセッサは、前記セル特定SSBの変更を伴わずに前記ダウンリンクBWPが前記第１のBWPから前記第２のBWPに切り替えられる場合、前記RLMに関するパラメータを引き継ぐよう構成され、
前記パラメータは、同期外れが所定回数連続したことに応じてRLFを判定するためにスタートされるタイマのカウント値を含む、
付記１〜３のいずれか１項に記載の無線端末。
【０１４１】
（付記５）
前記少なくとも１つのプロセッサは、前記セル特定SSBの変更を伴わずに前記ダウンリンクBWPが前記第１のBWPから前記第２のBWPに切り替えられる場合、前記第１のBWP内の第１のCSI-RSに代えて前記第２のBWP内の第２のCSI-RSをCSI測定のために使用するよう構成される、
付記１〜４のいずれか１項に記載の無線端末。
【０１４２】
（付記６）
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBを前記RLM測定のために使用することを中止するよう構成される、
付記１〜５のいずれか１項に記載の無線端末。
【０１４３】
（付記７）
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBに代えて前記第２のBWPに関連付けられた第２のSSBを前記RLM測定のために使用するよう構成される、
付記１〜６のいずれか１項に記載の無線端末。
【０１４４】
（付記８）
前記少なくとも１つのプロセッサは、前記第１のBWPから前記第２のBWPへの前記ダウンリンクBWPの切り替えが前記セル特定SSBの変更を伴うか否かに依存して、前記第１のBWPに関連付けられた前記第１のSSBを前記RLM測定のために引き続き使用する否かを決定するよう構成される、
付記１〜７のいずれか１項に記載の無線端末。
【０１４５】
（付記９）
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記RLMに関するパラメータをリセットするよう構成され、
前記パラメータは、同期外れが所定回数連続したことに応じてRLFを判定するためにスタートされるタイマのカウント値を含む、
付記６〜８のいずれか１項に記載の無線端末。
【０１４６】
（付記１０）
前記RLM測定は、前記無線端末がconnectedモードであるときに、同期外れ（out of synchronization）の検出およびRadio Link Failure （RLF）の検出を目的としてサービングセルのダウンリンク無線品質を測定することを含む、
付記１〜７のいずれか１項に記載の無線端末。
【０１４７】
（付記１１）
前記CSI測定は、前記無線端末がconnectedモードであるときに、スケジューリング及びリンクアダプテーションの少なくとも一方のために使用されるChannel Quality Indicator（CQI）を含むレポートを無線アクセスネットワークノードに送信することを目的としてサービングセルのダウンリンク無線品質を測定することを含む、
付記５に記載の無線端末。
【０１４８】
（付記１２）
無線端末における方法であって、
セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用すること、
を備える方法。
【０１４９】
（付記１３）
前記RLMのための前記参照信号タイプが前記SSBタイプであるか又はChannel State Information Reference Signal （CSI-RS）タイプであるかに依存して、前記ダウンリンクBWPの切り替え後に前記RLM測定のために使用される参照信号を変更するか否かを決定することをさらに備える、
付記１２に記載の方法。
【０１５０】
（付記１４）
前記セル特定SSBの変更を伴わずに前記ダウンリンクBWPが前記第１のBWPから前記第２のBWPに切り替えられる場合、もし前記RLMのための前記参照信号タイプがChannel State Information Reference Signal （CSI-RS）タイプに設定されているなら、前記第１のBWP内の第１のCSI-RSに代えて前記第２のBWP内の第２のCSI-RSを前記RLM測定のために使用することをさらに備える、
付記１２又は１３に記載の方法。
【０１５１】
（付記１５）
前記セル特定SSBの変更を伴わずに前記ダウンリンクBWPが前記第１のBWPから前記第２のBWPに切り替えられる場合、前記RLMに関するパラメータを引き継ぐことをさらに備え、
前記パラメータは、同期外れが所定回数連続したことに応じてRLFを判定するためにスタートされるタイマのカウント値を含む、
付記１２〜１４のいずれか１項に記載の方法。
【０１５２】
（付記１６）
前記セル特定SSBの変更を伴わずに前記ダウンリンクBWPが前記第１のBWPから前記第２のBWPに切り替えられる場合、前記第１のBWP内の第１のCSI-RSに代えて前記第２のBWP内の第２のCSI-RSをCSI測定のために使用することをさらに備える、
付記１２〜１５のいずれか１項に記載の方法。
【０１５３】
（付記１７）
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBを前記RLM測定のために使用することを中止することをさらに備える、
付記１２〜１６のいずれか１項に記載の方法。
【０１５４】
（付記１８）
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBに代えて前記第２のBWPに関連付けられた第２のSSBを前記RLM測定のために使用することをさらに備える、
付記１２〜１７のいずれか１項に記載の方法。
【０１５５】
（付記１９）
前記第１のBWPから前記第２のBWPへの前記ダウンリンクBWPの切り替えが前記セル特定SSBの変更を伴うか否かに依存して、前記第１のBWPに関連付けられた前記第１のSSBを前記RLM測定のために引き続き使用する否かを決定することをさらに備える、
付記１２〜１８のいずれか１項に記載の方法。
【０１５６】
（付記２０）
前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記RLMに関するパラメータをリセットすることをさらに備え、
前記パラメータは、同期外れが所定回数連続したことに応じてRLFを判定するためにスタートされるタイマのカウント値を含む、
付記１７〜１９のいずれか１項に記載の方法。
【０１５７】
（付記２１）
前記RLM測定は、前記無線端末がconnectedモードであるときに、同期外れ（out of synchronization）の検出およびRadio Link Failure （RLF）の検出を目的としてサービングセルのダウンリンク無線品質を測定することを含む、
付記１２〜２０のいずれか１項に記載の方法。
【０１５８】
（付記２２）
前記CSI測定は、前記無線端末がconnectedモードであるときに、スケジューリング及びリンクアダプテーションの少なくとも一方のために使用されるChannel Quality Indicator（CQI）を含むレポートを無線アクセスネットワークノードに送信することを目的としてサービングセルのダウンリンク無線品質を測定することを含む、
付記１６に記載の方法。
【０１５９】
（付記２３）
無線端末における方法をコンピュータに行わせるためのプログラムであって、
前記方法は、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用することを備える、
プログラム。
【０１６０】
この出願は、２０１７年１１月１３日に出願された日本出願特願２０１７−２１８０４０を基礎とする優先権を主張し、その開示の全てをここに取り込む。
【符号の説明】
【０１６１】
１１  RANノード
１２  UE
１８０４  プロセッサ
１８０５  メモリ
１９０３  ベースバンドプロセッサ
１９０４  アプリケーションプロセッサ
１９０６  メモリ
【図１】
2019092942.tif 000003
【図２】
2019092942.tif 000004
【図３】
2019092942.tif 000005
【図４】
2019092942.tif 000006
【図５】
2019092942.tif 000007
【図６】
2019092942.tif 000008
【図７】
2019092942.tif 000009
【図８】
2019092942.tif 000010
【図９】
2019092942.tif 000011
【図１０】
2019092942.tif 000012
【図１１】
2019092942.tif 000013
【図１２】
2019092942.tif 000014
【図１３】
2019092942.tif 000015
【図１４】
2019092942.tif 000016
【図１５】
2019092942.tif 000017
【図１６】
2019092942.tif 000018
【図１７】
2019092942.tif 000019
【図１８】
2019092942.tif 000020
【図１９】
2019092942.tif 000021
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
無線端末であって、
メモリと、
前記メモリに結合された少なくとも１つのプロセッサと、
を備え、
前記少なくとも１つのプロセッサは、セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用するよう構成される、
無線端末。
【請求項２】
前記少なくとも１つのプロセッサは、前記RLMのための前記参照信号タイプが前記SSBタイプであるか又はChannel State Information Reference Signal （CSI-RS）タイプであるかに依存して、前記ダウンリンクBWPの切り替え後に前記RLM測定のために使用される参照信号を変更するか否かを決定するよう構成される、
請求項１に記載の無線端末。
【請求項３】
前記少なくとも１つのプロセッサは、前記セル特定SSBの変更を伴わずに前記ダウンリンクBWPが前記第１のBWPから前記第２のBWPに切り替えられる場合、もし前記RLMのための前記参照信号タイプがChannel State Information Reference Signal （CSI-RS）タイプに設定されているなら、前記第１のBWP内の第１のCSI-RSに代えて前記第２のBWP内の第２のCSI-RSを前記RLM測定のために使用するよう構成される、
請求項１又は２に記載の無線端末。
【請求項４】
前記少なくとも１つのプロセッサは、前記セル特定SSBの変更を伴わずに前記ダウンリンクBWPが前記第１のBWPから前記第２のBWPに切り替えられる場合、前記RLMに関するパラメータを引き継ぐよう構成され、
前記パラメータは、同期外れが所定回数連続したことに応じてRLFを判定するためにスタートされるタイマのカウント値を含む、
請求項１〜３のいずれか１項に記載の無線端末。
【請求項５】
前記少なくとも１つのプロセッサは、前記セル特定SSBの変更を伴わずに前記ダウンリンクBWPが前記第１のBWPから前記第２のBWPに切り替えられる場合、前記第１のBWP内の第１のCSI-RSに代えて前記第２のBWP内の第２のCSI-RSをCSI測定のために使用するよう構成される、
請求項１〜４のいずれか１項に記載の無線端末。
【請求項６】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBを前記RLM測定のために使用することを中止するよう構成される、
請求項１〜５のいずれか１項に記載の無線端末。
【請求項７】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記第１のBWPに関連付けられた前記第１のSSBに代えて前記第２のBWPに関連付けられた第２のSSBを前記RLM測定のために使用するよう構成される、
請求項１〜６のいずれか１項に記載の無線端末。
【請求項８】
前記少なくとも１つのプロセッサは、前記第１のBWPから前記第２のBWPへの前記ダウンリンクBWPの切り替えが前記セル特定SSBの変更を伴うか否かに依存して、前記第１のBWPに関連付けられた前記第１のSSBを前記RLM測定のために引き続き使用する否かを決定するよう構成される、
請求項１〜７のいずれか１項に記載の無線端末。
【請求項９】
前記少なくとも１つのプロセッサは、前記セル特定SSBの変更を伴って前記ダウンリンクBWPを前記第１のBWPから前記第２のBWPに切り替えるよう指示された場合、もし前記RLMのための前記参照信号タイプが前記SSBタイプに設定されているなら、前記RLMに関するパラメータをリセットするよう構成され、
前記パラメータは、同期外れが所定回数連続したことに応じてRLFを判定するためにスタートされるタイマのカウント値を含む、
請求項６〜８のいずれか１項に記載の無線端末。
【請求項１０】
無線端末における方法であって、
セル特定synchronization signal block（SSB）の変更を伴わずにダウンリンクbandwidth part（BWP）が第１のBWPから第２のBWPに切り替えられる場合、もしRadio Link Monitoring（RLM）のための参照信号タイプがSSBタイプに設定されているなら、前記第２のBWPへの前記ダウンリンクBWPの切り替え後に、前記第１のBWPに関連付けられた第１のSSBをRLM測定のために引き続き使用すること、
を備える方法。
【国際調査報告】
2019092942.tif 000022
2019092942.tif 000023